(57)【要約】【課題】衣服を着なくてもファンによる涼感を得ることができ、ファンによる冷却効果を十分得ることができ、さらには、使用する場面が多様な冷却具を提供する。【解決手段】身体用納涼具５は、タオル１０と、タオル１０に設けられたファン取付け具２０と、ファン取付け具２０に着脱自在のファン５０とを有し、ファン取付け具２０は、布材製で、タオル１０の開口部の位置に固定して設けられ、内側に開口部を有する取付け具本体２２と、取付け具本体２２の内側の周状の端部に沿って設けられた伸縮性を有する紐部とを有し、ファン５０のハウジング５２は、筒状部と、筒状部の外周面から外側に突出した一対のフランジ６０等とを有し、一対のフランジの間の位置に取付け具本体２０の内側の周状の端部を位置させて、ファン取付け具２０を筒状部に密着させることにより、ファン５０をファン取付け具２０に取り付ける。【選択図】図１
2020097811.tif 000002
【特許請求の範囲】
【請求項１】
身体に涼感を与える身体用納涼具であって、
布製でシート状の汗拭き具で、開口部（Ｋ１０Ｃ）が設けられた汗拭き具（１０）と、
汗拭き具に設けられたファン取付け具（２０、２０’）と、
ファン取付け具に着脱自在のファン（５０、５０Ａ、５０Ｂ、５０Ｃ）とを有し、
ファン取付け具は、
汗拭き具の開口部の位置に設けられた布材製の取付け具本体で、内側の周状の端部の内側に開口部（２０Ｋ）を有する取付け具本体（２２）と、
取付け具本体の内側の周状の端部に沿って設けられた伸縮性を有する環状部材（４０）とを有し、
ファンは、ハウジング（５２）と、ハウジング内に設けられたモータ（８０）と、モータにより回転する羽根体（８２）とを有し、
ハウジングは、筒状部（５６）と、筒状部の外周面よりも外側に突出した第１突状部（５８、５８’）と、第１突状部に対して筒状部の軸線方向に間隔を介して設けられ、筒状部の外周面よりも外側に突出した第２突状部（６０、６０’）とを有し、筒状部の軸線方向における第１突状部と第２突状部の間の位置に筒状部の外周面が設けられ、
取付け具本体の内側の周状の端部を第１突状部と第２突状部の間に位置させて、環状部材の弾性によりファン取付け具が筒状部に密着することにより、ファンがファン取付け具に取り付けられることを特徴とする身体用納涼具。
【請求項２】
ハウジングは、筒状部の軸線方向におけるハウジングの少なくとも一方の側に通風可能な開口部（６２Ｋ）を有し、ファンが回転することにより該通風可能な開口部より排気されることを特徴とする請求項１に記載の身体用納涼具。
【請求項３】
第１突状部と第２突状部は、環状のフランジにより形成され、第１突状部と第２突状部は、間隔を介して互いに平行に設けられていることを特徴とする請求項１又は２に記載の身体用納涼具。
【請求項４】
第１突状部と第２突状部は、該筒状部に固定して設けられていることを特徴とする請求項１又は２又は３に記載の身体用納涼具。
【請求項５】
ハウジングは、ハウジング本体（５４）と、ハウジング本体に着脱する蓋部（７０）とを有し、
筒状部と第１突状部と第２突状部は、ハウジング本体に設けられ、
第１突状部は、筒状部に固定して設けられ、筒状部の外周面から外側に突出した環状のフランジ状を呈し、第２突状部は、筒状部に固定して設けられ、筒状部の外周面から外側に突出した環状のフランジ状を呈し、第１突状部と第２突状部は、互いに平行に設けられ、
筒状部の蓋部側とは反対側には、通風可能な開口部を有するカバー（６２）が設けられ、蓋部には、通風可能な開口部を有するカバー（７４）が設けられ、ファンが回転することにより、２つの通風可能な開口部のいずれか一方から排気されることを特徴とする請求項１に記載の身体用納涼具。
【請求項６】
第１突状部と第２突状部の２つの突状部において、筒状部の蓋部側とは反対側である排気側の突状部には、排気側に突出する首当て部（６４）が設けられ、身体用横領具を装着する際に、首当て部を首に接触した状態とすることを特徴とする請求項５に記載の身体用納涼具。
【請求項７】
身体に涼感を与える身体用納涼具であって、
布製でシート状の汗拭き具で、開口部（Ｋ１０Ｃ）が設けられた汗拭き具（１０）と、  汗拭き具に設けられたファン取付け具（２０、２０’）とを有し、
ファン取付け具は、
汗拭き具の開口部の位置に設けられた布材製の取付け具本体で、内側の周状の端部の内側に開口部（２０Ｋ）を有する取付け具本体（２２）と、
取付け具本体の内側の周状の端部に沿って設けられた伸縮性を有する環状部材（４０）とを有し、
取付け具本体の内側の周状の端部をファンのハウジングに係止させることにより、ファンがファン取付け具に取り付けられることを特徴とする身体用納涼具。
【請求項８】
取付け具本体は、折り返された布材の折返し位置を開口部側にして設けられ、布材の該折返し位置に沿った布材の内側に環状部材が収納して設けられ、
布材の該折返し位置とは反対側の領域である外周側領域が、タオルの開口部の縁部に沿った領域に重なった状態で固定されていることを特徴とする請求項１又は２又は３又は４又は５又は６又は７に記載の身体用納涼具。
【請求項９】
外周側領域が、布材の折返し位置を介した一方の領域における該折返し位置とは反対側の領域である第１外側領域（２８−１）と、布材の折返し位置を介した他方の領域における該折返し位置とは反対側の領域である第２外側領域（３０−１）とを有し、第１外側領域と第２外側領域により汗拭き具の開口部の縁部に沿った領域を挟んで重ねた状態で、縫製糸による縫い目（Ｈ３１）により第１外側領域と汗拭き具と第２外側領域が固定されていることを特徴とする請求項８に記載の身体用納涼具。
【請求項１０】
外周側領域が、布材の折返し位置を介した一方の領域における該折返し位置とは反対側の領域である第１外側領域（２８−１）と、布材の折返し位置を介した他方の領域における該折返し位置とは反対側の領域である第２外側領域（３０−１）とを有し、第１外側領域と第２外側領域を重ねた状態の一対の外側領域が汗拭き具の開口部の縁部に沿った領域の表裏いずれかの面に重ねた状態で、縫製糸による縫い目（Ｈ３１）により第１外側領域と第２外側領域と汗拭き具が固定されていることを特徴とする請求項８に記載の身体用納涼具。
【請求項１１】
ファン取付け具本体において、布材の折返し位置に沿って縫製糸による略周状の第２縫い目（Ｈ２６）が設けられ、布材における布材の折返し位置と該第２縫い目の間の空間内に環状部材が収納されていることを特徴とする請求項８又は９又は１０に記載の身体用納涼具。
【請求項１２】
布材の折返し位置を介した一方の領域である第１領域の折返し位置側の端部から外周側の端部までの長さが、布材の折返し位置を介した他方の領域である第２領域の折返し位置側の端部から外周側の端部までの長さよりも長く形成され、
第１領域の該折返し位置とは反対側の領域である第１外側領域が汗拭き具の開口部の縁部に沿った領域の表裏いずれかの面に重ねた状態で、縫製糸による第１縫い目（Ｈ３１、Ｈ３２）により第１外側領域と汗拭き具が固定され、
第２領域は、第１領域に重なった状態で、縫製糸による第２縫い目（Ｈ２６）により第１領域と第２領域が固定されていることを特徴とする請求項８に記載の身体用納涼具。
【請求項１３】
環状部材は、伸縮性を有する紐材により構成されて、紐材の両側の端部が結んだ状態で環状に形成されていることを特徴とする請求項１又は２又は３又は４又は５又は６又は７又は８又は９又は１０又は１１又は１２に記載の身体用納涼具。
【請求項１４】
汗拭き具は、一対の長手辺と一対の短手辺とを有する横長形状に形成され、一対の長手辺の少なくとも一方には、切欠部（Ｋ１０Ａ、Ｋ１０Ｂ）が設けられ、該切欠部は、長手辺の方向におけるファン取付け具の形成位置に対応した位置に設けられていることを特徴とする請求項請求項１又は２又は３又は４又は５又は６又は７又は８又は９又は１０又は１１又は１２又は１３に記載の身体用納涼具。
【請求項１５】
該汗拭き具が、タオル地により形成されたタオル又は木綿の平織りの布により形成された手ぬぐいであることを特徴とする請求項１又は２又は３又は４又は５又は６又は７又は８又は９又は１０又は１１又は１２又は１３又は１４に記載の身体用納涼具。
【請求項１６】
身体に涼感を与える身体用納涼具で、布製でシート状の汗拭き具で、開口部（Ｋ１０Ｃ）が設けられた汗拭き具（１０）と、汗拭き具に設けられたファン取付け具（２０、２０’）とを有し、ファン取付け具は、汗拭き具の開口部の位置に設けられた布材製で環状の取付け具本体で、内側の周状の端部の内側に開口部（２０Ｋ）を有する取付け具本体（２２）と、取付け具本体の内側の周状の端部に沿って設けられた伸縮性を有する環状部材（４０）とを有し、取付け具本体の内側の周状の端部をファンのハウジングに係止させることにより、ファンがファン取付け具に取り付けられる身体用納涼具の製造方法であって、
ファン取付け具製造工程と、ファン取付け具製造工程で製造されたファン取付け具の取付け具本体を汗拭き具に固定する取付け具本体固定工程とを有し、
ファン取付け具製造工程が、
取付け具本体を形成するための布材で互いに平行な長手辺を有する布材（２６Ｓ）の長手方向における両側の端部同士を縫着して環状に形成する第１縫着工程と、
第１縫着工程で環状に形成された布材を布材の長手辺と平行な折れ線（２７Ｃ）を介して折り返した状態にする折返し工程と、
布材における該折れ線に沿った布材の内側に環状部材を形成するための伸縮性を有する紐材を配置して、該紐材の両側の端部を連結することにより環状部材を形成する環状部材形成工程と、を有し、
取付け具本体固定工程においては、ファン取付け具製造工程により製造されたファン取付け具における布材の環状部材側とは反対側の領域である外側領域を汗拭き具の開口部の縁部に沿った領域に縫着することにより、ファン取付け具を汗拭き具に固定することを特徴とする身体用納涼具の製造方法。
【請求項１７】
折返し工程と環状部材形成工程の間に、第２縫着工程が設けられ、第２縫着工程においては、折り返した状態の布材を該折れ線の位置に沿って略周状に縫着して縫い目（Ｈ２６）を形成し、
環状部材形成工程においては、該縫い目から該折れ線側の空間に該縫い目に沿って紐材を挿入して、該紐材の両側の端部を結んで環状にすることを特徴とする請求項１６に記載の身体用納涼具の製造方法。
【請求項１８】
身体に涼感を与える身体用納涼具で、布製でシート状の汗拭き具で、開口部（Ｋ１０Ｃ）が設けられた汗拭き具（１０）と、汗拭き具に設けられたファン取付け具（２０、２０’）とを有し、ファン取付け具は、汗拭き具の開口部の位置に設けられた布材製で環状の取付け具本体で、内側の周状の端部の内側に開口部（２０Ｋ）を有する取付け具本体（２２）と、取付け具本体の内側の周状の端部に沿って設けられた伸縮性を有する環状部材（４０）とを有し、取付け具本体の内側の周状の端部をファンのハウジングに係止させることにより、ファンがファン取付け具に取り付けられる身体用納涼具の製造方法であって、
取付け具本体製造工程と、取付け具本体製造工程で製造された取付け具本体を汗拭き具に固定する取付け具本体固定工程と、汗拭き具に固定された取付け具本体に環状部材を形成する環状部材形成工程とを有し、
取付け具本体製造工程が、
取付け具本体を形成するための布材で互いに平行な長手辺を有する布材（２６Ｓ）の長手方向における両側の端部同士を縫着して環状に形成する第１縫着工程と、
第１縫着工程で環状に形成された布材を布材の長手辺と平行な折れ線（２７Ｃ）を介して折り返した状態にしてする折返し工程と、を有し、
取付け具本体固定工程においては、取付け具本体製造工程により製造された取付け具本体における布材の折れ線側とは反対側の領域である外側領域を汗拭き具の開口部の縁部に沿った領域に縫着することにより、取付け具本体を汗拭き具に固定し、
環状部材形成工程においては、布材における該折れ線に沿った布材の内側に環状部材を形成するための伸縮性を有する紐材を配置して、該紐材の両側の端部を連結することにより環状部材を形成することを特徴とする身体用納涼具の製造方法。
【請求項１９】
折返し工程と取付け具本体固定工程の間に、第２縫着工程が設けられ、第２縫着工程においては、折り返した状態の布材を該折れ線の位置に沿って略周状に縫着して縫い目（Ｈ２６）を形成し、
環状部材形成工程においては、該縫い目から該折れ線側の空間に該縫い目に沿って紐材を挿入して、該紐材の両側の端部を結んで環状にすることを特徴とする請求項１８に記載の身体用納涼具の製造方法。
【請求項２０】
折返し工程において、布材の短手辺の方向の略中間位置に該折れ線を設けて、布材を二つ折りに折り返し、
取付け具本体固定工程において、布材における折れ線を介した一方の領域における外側領域（２８−１）と他方の領域（３０−１）における外側領域により汗拭き具を挟んで重ねた状態で一対の外側領域と汗拭き具とを固定することを特徴とする請求項１６又は１７又は１８又は１９に記載の身体用納涼具の製造方法。
【請求項２１】
折返し工程において、布材の短手辺の方向の略中間位置に該折れ線を設けて、布材を二つ折りに折り返し、
取付け具本体固定工程において、布材における折れ線を介した一方の領域における外側領域（２８−１）と他方の領域（３０−１）の外側領域を重ねた状態の一対の外側領域を、汗拭き具の開口部の縁部に沿った領域の表裏いずれかの面に重ねた状態で一対の外側領域と汗拭き具とを固定することを特徴とする請求項１６又は１７又は１８又は１９に記載の身体用納涼具の製造方法。
【請求項２２】
折返し工程において、布材の短手辺の方向における一方の側に偏った位置に該折れ線を設けて、布材を折り返し、
取付け具本体固定工程において、布材における折れ線を介した一方の領域と他方の領域において折れ線からの長手辺までの距離が長い側の領域における外側領域である特定外側領域（２８−１）を、汗拭き具の開口部の縁部に沿った領域の表裏いずれかの面に重ねた状態で該特定外側領域と汗拭き具とを固定することを特徴とする請求項１６又は１７又は１８又は１９に記載の身体用納涼具の製造方法。
【請求項２３】
紐材の両端の端部を結んで紐材を連結することにより紐材を環状にして環状部材を形成することを特徴とする請求項１６又は１７又は１８又は１９又は２０又は２１又は２２に記載の身体用納涼具の製造方法。
【発明の詳細な説明】
【技術分野】
【０００１】
本発明は、高温環境下で使用者に涼感を与える装置に関するものであり、特に、送風ファンを備えた冷却具に関するものである。
【背景技術】
【０００２】
従来より、衣服の取付け穴にファンを取り付けたものとして、特許文献１や特許文献２に記載のものが存在する。
【０００３】
ここで、特許文献１に記載の上着９においては、背面部の下方に送風装置を取り付けるための取付け開口９１が設けられ、この取付け開口９１の位置に送風装置１が取り付けられ、特許文献２に記載の衣服１００においては、取り付け孔１０１が後ろ身頃の下部に形成され、取り付け孔１０１に衣服用ファン１が取り付けられる。
【先行技術文献】
【特許文献】
【０００４】
【特許文献１】特開２０１８ー１１２１７７号公報
【特許文献２】特開２０１８−１０９３９０号公報
【発明の概要】
【発明が解決しようとする課題】
【０００５】
しかし、上記特許文献１及び特許文献２に記載の衣服においては、ファンが衣服に取り付けられているので、衣服を脱ぐとファンによる涼感を得ることができず、特に、高温環境下での作業が終わって衣服を脱いでしまうと、ファンによる涼感を得ることができない。
【０００６】
また、衣服に取り付けられたファンは、上記のように衣服の背面下方に取り付けられているので、ファンによる冷却効果が十分ではないという問題があった。
【０００７】
また、衣服にファンを取り付けたものは、いわゆる作業用のものであり、使用する場面も限られており、各種場面で広く使用することができるものでないという問題があった。
【０００８】
そこで、本発明は、衣服を着なくてもファンによる涼感を得ることができ、ファンによる冷却効果を十分得ることができ、さらには、使用する場面が多様な冷却具を提供することを目的とするものである。
【課題を解決するための手段】
【０００９】
本発明は上記問題点を解決するために創作されたものであって、第１には、身体に涼感を与える身体用納涼具であって、布製でシート状の汗拭き具で、開口部（Ｋ１０Ｃ）が設けられた汗拭き具（１０）（開口部（Ｋ１０Ｃ）が設けられたタオル（１０）としてもよい）と、汗拭き具に設けられたファン取付け具（２０、２０’）と、ファン取付け具に着脱自在のファン（５０、５０Ａ、５０Ｂ、５０Ｃ）とを有し、ファン取付け具は、汗拭き具の開口部の位置に設けられた（固定して設けられたとしてもよい）布材製の取付け具本体（布製で環状の取付け具本体としてもよい）で、内側の周状の端部の内側に開口部（２０Ｋ）を有する取付け具本体（２２）と、取付け具本体の内側の周状の端部に沿って設けられた伸縮性を有する環状部材（４０）とを有し、ファンは、ハウジング（５２）と、ハウジング内に設けられたモータ（８０）と、モータにより回転する（モータの回転軸に設けられたとしてもよい）羽根体（８２）とを有し、ハウジングは、筒状部（５６）と、筒状部の外周面よりも外側に突出した第１突状部（５８、５８’）と、第１突状部に対して筒状部の軸線方向に間隔を介して設けられ、筒状部の外周面よりも外側に突出した第２突状部（６０、６０’）とを有し、筒状部の軸線方向における第１突状部と第２突状部の間の位置に筒状部の外周面が設けられ、モータの回転軸の軸線は、筒状部の軸線に沿って設けられ、取付け具本体の内側の周状の端部を第１突状部と第２突状部の間に位置させて、環状部材の弾性によりファン取付け具が筒状部に密着することにより、ファンがファン取付け具に取り付けられることを特徴とする。
【００１０】
第１の構成の身体用納涼具においては、首に掛けて使用し、ファンを首の位置に配置することによりファンから首に送風する。
【００１１】
身体用納涼具は、首に掛けて使用できるので、衣服を着ているか否かに拘わらず使用することができ、作業服等の衣服を着ていなくても、身体用納涼具を首に掛けて装着することにより涼感を得ることができる。
【００１２】
また、使用者の首に送風することにより使用者に涼感を与えることができ、特に、首の背面側に送風することにより強い涼感を与えることができる。
【００１３】
また、身体用納涼具は、ファンとタオルを有するものであることから、作業現場、スポーツ観戦、調理場、キャンプ場、ランニング等の運動時等、タオルを首に巻く場面で広く使用することができるので、使用する場面を多様なものとすることができる。
【００１４】
なお、上記第１の構成において、羽根体の回転中心の軸線は、筒状部の軸線方向に設けられていることを特徴とするものとしてもよい。
【００１５】
また、第２には、上記第１の構成において、ハウジングは、筒状部の軸線方向におけるハウジングの少なくとも一方の側に通風可能な開口部（６２Ｋ）を有し、ファンが回転することにより該通風可能な開口部より排気されることを特徴とする。
【００１６】
また、第３には、上記第１又は第２の構成において、第１突状部と第２突状部は、環状のフランジにより形成され、第１突状部と第２突状部は、間隔を介して互いに平行に設けられていることを特徴とする。
【００１７】
よって、第１突状部と第２突状部が環状を呈するので、ファンのファン取付け具への取付けが容易であり、ファンをファン取付け具に十分保持することができる。
【００１８】
また、第４には、上記第１から第３までのいずれかの構成において、第１突状部と第２突状部は、該筒状部に固定して設けられていることを特徴とする。
【００１９】
また、第５には、上記第１の構成において、ハウジングは、ハウジング本体（５４）と、ハウジング本体に着脱する蓋部（７０）とを有し、筒状部と第１突状部と第２突状部は、ハウジング本体に設けられ、第１突状部は、筒状部に固定して設けられ、筒状部の外周面から外側に突出した環状のフランジ状を呈し、第２突状部は、筒状部に固定して設けられ、筒状部の外周面から外側に突出した環状のフランジ状を呈し、第１突状部と第２突状部は、互いに平行に設けられ、筒状部の蓋部側とは反対側には、通風可能な開口部を有するカバー（６２）が設けられ、蓋部には、通風可能な開口部を有するカバー（７４）が設けられ、ファンが回転することにより、２つの通風可能な開口部のいずれか一方から排気されることを特徴とする。
【００２０】
よって、第１突状部と第２突状部が環状を呈するので、ファンのファン取付け具への取付けが容易であり、ファンをファン取付け具に十分保持することができる。
【００２１】
また、第６には、上記第５の構成において、第１突状部と第２突状部の２つの突状部において、筒状部の蓋部側とは反対側である排気側の突状部には、排気側に突出する首当て部（６４）が設けられ、身体用横領具を装着する際に、首当て部を首に接触した状態とすることを特徴とする。
【００２２】
なお、上記第６の構成において、首当て部は、筒状部の軸線方向に直角な方向における相対する方向に突出する曲面状の板状を呈し、首当て部の排気側の端部である下端が、排気側から見て略楕円形又は略円形を呈し、筒状部の軸線方向に直角な方向で該相対する方向と直角方向である正面側と背面側から見て、首当て部の下端が上方に窪んだ形状となっていることを特徴とするものとしてもよい。
【００２３】
また、第７には、身体に涼感を与える身体用納涼具であって、布製でシート状の汗拭き具で、開口部（Ｋ１０Ｃ）が設けられた汗拭き具（１０）（開口部（Ｋ１０Ｃ）が設けられたタオル（１０）としてもよい）と、  汗拭き具に設けられたファン取付け具（２０、２０’）とを有し、ファン取付け具は、汗拭き具の開口部の位置に設けられた（固定して設けられたとしてもよい）布材製の取付け具本体（布製で環状の取付け具本体としてもよい）で、内側の周状の端部の内側に開口部（２０Ｋ）を有する取付け具本体（２２）と、取付け具本体の内側の周状の端部に沿って設けられた伸縮性を有する環状部材（４０）とを有し、取付け具本体の内側の周状の端部をファンのハウジングに係止させることにより、ファンがファン取付け具に取り付けられることを特徴とする。
【００２４】
第７の構成の身体用納涼具においては、取付け具本体の内側の周状の端部をファンのハウジングに係止させることにより、ファンをファン取付け具に取り付けて使用し、ファンを取り付けた状態の身体用納涼具においては、首に掛けて使用し、ファンを首の位置に配置することによりファンから首に送風する。
【００２５】
身体用納涼具は、首に掛けて使用できるので、衣服を着ているか否かに拘わらず使用することができ、作業服等の衣服を着ていなくても、身体用納涼具を首に掛けて装着することにより涼感を得ることができる。
【００２６】
また、使用者の首に送風することにより使用者に涼感を与えることができ、特に、首の背面側に送風することにより強い涼感を与えることができる。
【００２７】
また、ファンを取り付けた身体用納涼具は、ファンとタオルを有するものであることから、作業現場、スポーツ観戦、調理場、キャンプ場、ランニング等の運動時等、タオルを首に巻く場面で広く使用することができるので、使用する場面を多様なものとすることができる。
【００２８】
なお、上記第７の構成において、「身体用納涼具」を「身体用納涼具用ユニット」としてもよい。
【００２９】
また、第８には、上記第１から第７までのいずれかの構成において、取付け具本体は、折り返された布材の折返し位置を開口部側にして設けられ、布材の該折返し位置に沿った布材の内側に環状部材が収納して設けられ、布材の該折返し位置とは反対側の領域である外周側領域が、タオルの開口部の縁部に沿った領域に重なった状態で固定されていることを特徴とする。
【００３０】
なお、第８−１の構成として、上記第１から第６までのいずれかの構成において、ファン取付け具本体は、環状部材を収納する環状部材収納部（２４）と、環状部材収納部から連設された連結部（２６）とを有し、環状部材収納部は、折り返された布材の折返し位置に形成され、環状部材収納部と連結部とは、周状の縫い目（Ｈ２６）を介して区画され、連結部の環状部材収納部側とは反対側の領域である外側領域（２８−１、３０−１）が、汗拭き具の開口部の縁部に沿った領域に重なった状態で固定されていることを特徴とするものとしてもよい。
【００３１】
また、第８−１の構成において、連結部は、環状部材収納部を構成する布材の連結部と接する一対の端部のうちの一方の端部から連設された第１連結部構成部（２８）と、該一対の端部のうちの他方の端部から連設された第２連結部構成部（３０）により構成され、第１連結部構成部の環状部材収納部側とは反対側の領域である第１外側領域（２８−１）と第２連結部構成部環状部材収納部側とは反対側の領域である第２外側領域（３０−１）により汗拭き具の開口部の縁部に沿った領域を挟んで重ねた状態で、縫製糸による縫い目により第１外側領域と汗拭き具と第２外側領域が固定されていることを特徴とするものとしてもよい。
【００３２】
また、第８−１の構成において、連結部は、環状部材収納部を構成する布材の連結部と接する一対の端部のうちの一方の端部から連設された第１連結部構成部（２８）と、該一対の端部のうちの他方の端部から連設された第２連結部構成部（３０）により構成され、第１連結部構成部の環状部材収納部側とは反対側の領域である第１外側領域（２８−１）と第２連結部構成部の環状部材収納部側とは反対側の領域である第２外側領域（３０−１）を重ねた状態の一対の外側領域が、汗拭き具の開口部の縁部に沿った領域の表裏いずれかの面に重ねた状態で、縫製糸による縫い目により連結部と汗拭き具が固定されていることを特徴とするものとしてもよい。
【００３３】
また、第８−１の構成において、連結部は、環状部材収納部を構成する布材の連結部と接する一対の端部のうちの一方の端部から連設された第１連結部構成部（２８）と、該一対の端部のうちの他方の端部から連設された第２連結部構成部（３０）により構成され、第１連結部構成部の環状部材収納部側である内側の端部から環状部材収納部側とは反対側である外側の端部までの長さ（Ｌ３２−１）が、第２連結部構成部の環状部材収納部側である内側の端部から環状部材収納部側とは反対側である外側の端部までの長さ（Ｌ３２−２）よりも長く形成され、第１連結部構成部の環状部材収納部側とは反対側の領域である外側領域が、汗拭き具の開口部の縁部に沿った領域の表裏いずれかの面に重ねた状態で、縫製糸による縫い目により連結部と汗拭き具が固定されていることを特徴とするものとしてもよい。
【００３４】
また、第９には、上記第８の構成において、外周側領域が、布材の折返し位置を介した一方の領域における該折返し位置とは反対側の領域である第１外側領域（２８−１）と、布材の折返し位置を介した他方の領域における該折返し位置とは反対側の領域である第２外側領域（３０−１）とを有し、第１外側領域と第２外側領域により汗拭き具の開口部の縁部に沿った領域を挟んで重ねた状態で、縫製糸による縫い目（Ｈ３１）により第１外側領域と汗拭き具と第２外側領域が固定されていることを特徴とする。
【００３５】
よって、第１外側領域と第２外側領域によりタオルを挟むことにより、タオルの開口部の縁部が第１外側領域と第２外側領域により隠れた状態となるので、タオルの開口部の縁部を開口部を形成する際に切りっぱなしの状態としてタオルを構成する糸がほつれる状態としても、かがり縫い等により補強する必要がない。また、第１外側領域と第２外側領域によりタオルを挟むので、１本の縫い目のみで第１外側領域と第２外側領域とタオルを固定することができる。
【００３６】
また、第１０には、上記第８の構成において、外周側領域が、布材の折返し位置を介した一方の領域における該折返し位置とは反対側の領域である第１外側領域（２８−１）と、布材の折返し位置を介した他方の領域における該折返し位置とは反対側の領域である第２外側領域（３０−１）とを有し、第１外側領域と第２外側領域を重ねた状態の一対の外側領域が汗拭き具の開口部の縁部に沿った領域の表裏いずれかの面に重ねた状態で、縫製糸による縫い目（Ｈ３１）により第１外側領域と第２外側領域と汗拭き具が固定されていることを特徴とする。
【００３７】
また、第１１には、上記第８から第１０までのいずれかの構成において、ファン取付け具本体において、布材の折返し位置に沿って縫製糸による略周状（周状としてもよい）の第２縫い目（Ｈ２６）が設けられ、布材における布材の折返し位置と該第２縫い目の間の空間内に環状部材が収納されていることを特徴とする。
【００３８】
よって、環状部材が取付け具本体内で移動せずに所定の位置に配置できるので、ファンのファン取付け具への取付けを容易に行なうことができる。
【００３９】
また、第１２には、上記第８の構成において、布材の折返し位置を介した一方の領域である第１領域の折返し位置側の端部から外周側の端部までの長さが、布材の折返し位置を介した他方の領域である第２領域の折返し位置側の端部から外周側の端部までの長さよりも長く形成され、第１領域の該折返し位置とは反対側の領域である第１外側領域が汗拭き具の開口部の縁部に沿った領域の表裏いずれかの面に重ねた状態で、縫製糸による第１縫い目（Ｈ３１、Ｈ３２）により第１外側領域と汗拭き具が固定され、第２領域は、第１領域に重なった状態で、縫製糸による第２縫い目（Ｈ２６）により第１領域と第２領域が固定されていることを特徴とする。
【００４０】
よって、第２領域の長さが第１領域の長さよりも短いので、取付け具本体を構成する布材の面積を少なくすることができる。
【００４１】
また、第１３には、上記第１から第１２までのいずれかの構成において、環状部材は、伸縮性を有する紐材により構成されて、紐材の両側の端部が結んだ状態で環状に形成されていることを特徴とする。
【００４２】
また、第１４には、上記第１から第１３までのいずれかの構成において、汗拭き具は、一対の長手辺と一対の短手辺とを有する横長形状に形成され、一対の長手辺の少なくとも一方には、切欠部（Ｋ１０Ａ、Ｋ１０Ｂ）が設けられ、該切欠部は、長手辺の方向におけるファン取付け具の形成位置に対応した位置に設けられていることを特徴とする。
【００４３】
よって、タオルに切欠部が設けられているので、タオルがファンの吸気側や排気側を塞いでしまうことがない。
【００４４】
また、第１５には、上記第１から第１４までのいずれかの構成において、該汗拭き具が、タオル地により形成されたタオル又は木綿の平織りの布により形成された手ぬぐいであることを特徴とする。
【００４５】
なお、上記第１から第１５までのいずれかの構成において、汗拭き具の開口部が汗拭き具の長手方向における略中心位置に１つ設けられていることを特徴とするものとしてもよい。また、上記第１から第１４までのいずれかの構成において、汗拭き具の開口部が汗拭き具の長手方向に間隔を介して２つ設けられ、汗拭き具の各開口部にファン取付け具が設けられていることを特徴とするものとしてもよい。
【００４６】
また、第１６には、身体に涼感を与える身体用納涼具で、布製でシート状の汗拭き具で、開口部（Ｋ１０Ｃ）が設けられた汗拭き具（１０）（開口部（Ｋ１０Ｃ）が設けられたタオル（１０）としてもよい）と、汗拭き具に設けられたファン取付け具（２０、２０’）とを有し、ファン取付け具は、汗拭き具の開口部の位置に設けられた（固定して設けられたとしてもよい）布材製で環状の取付け具本体で、内側の周状の端部の内側に開口部（２０Ｋ）を有する取付け具本体（２２）と、取付け具本体の内側の周状の端部に沿って設けられた伸縮性を有する環状部材（４０）とを有し、取付け具本体の内側の周状の端部をファンのハウジングに係止させることにより、ファンがファン取付け具に取り付けられる身体用納涼具の製造方法であって、ファン取付け具製造工程と、ファン取付け具製造工程で製造されたファン取付け具の取付け具本体を汗拭き具に固定する取付け具本体固定工程とを有し、ファン取付け具製造工程が、取付け具本体を形成するための布材で互いに平行な長手辺を有する布材（２６Ｓ）の長手方向における両側の端部同士を縫着して環状に形成する第１縫着工程と、第１縫着工程で環状に形成された布材を布材の長手辺と平行な折れ線（２７Ｃ）を介して折り返した状態にする折返し工程と、布材における該折れ線に沿った布材の内側に環状部材を形成するための伸縮性を有する紐材を配置して、該紐材の両側の端部を連結することにより環状部材を形成する環状部材形成工程と、を有し、取付け具本体固定工程においては、ファン取付け具製造工程により製造されたファン取付け具における布材の環状部材側とは反対側の領域である（反対側の領域で外側の周状の辺部側の領域（外側の周状の辺部に沿った領域としてもよい）であるとしてもよい）外側領域を汗拭き具の開口部の縁部に沿った領域に縫着することにより、ファン取付け具を汗拭き具に固定することを特徴とする。
【００４７】
第１６の構成の身体用納涼具の製造方法により製造された身体用納涼具においては、取付け具本体の内側の周状の端部をファンのハウジングに係止させることにより、ファンをファン取付け具に取り付けて使用し、ファンを取り付けた状態の身体用納涼具においては、首に掛けて使用し、ファンを首の位置に配置することによりファンから首に送風する。
【００４８】
身体用納涼具は、首に掛けて使用できるので、衣服を着ているか否かに拘わらず使用することができ、作業服等の衣服を着ていなくても、身体用納涼具を首に掛けて装着することにより涼感を得ることができる。
【００４９】
また、使用者の首に送風することにより使用者に涼感を与えることができ、特に、首の背面側に送風することにより強い涼感を与えることができる。
【００５０】
また、ファンを取り付けた身体用納涼具は、ファンとタオルを有するものであることから、作業現場、スポーツ観戦、調理場、キャンプ場、ランニング等の運動時等、タオルを首に巻く場面で広く使用することができるので、使用する場面を多様なものとすることができる。
【００５１】
また、第１６の構成の製造工程により製造された身体用納涼具によれば、第１縫着工程と折返し工程と環状部材形成工程からなるファン取付け具製造工程と取付け具本体固定工程により製造できるので、少ない工程、かつ、低コストで身体用納涼具を製造することができる。
【００５２】
また、第１７には、上記第１６の構成において、折返し工程と環状部材形成工程の間に、第２縫着工程が設けられ、第２縫着工程においては、折り返した状態の布材を該折れ線の位置に沿って略周状（周状としてもよい）に縫着して縫い目（Ｈ２６）を形成し、
環状部材形成工程においては、該縫い目から該折れ線側の空間に該縫い目に沿って紐材を挿入して、該紐材の両側の端部を結んで環状にすることを特徴とする。
【００５３】
よって、環状部材が取付け具本体内で移動せずに所定の位置に配置できるので、ファンのファン取付け具への取付けを容易に行なうことができる。
【００５４】
また、第１８には、身体に涼感を与える身体用納涼具で、布製でシート状の汗拭き具で、開口部（Ｋ１０Ｃ）が設けられた汗拭き具（１０）（開口部（Ｋ１０Ｃ）が設けられたタオル（１０）としてもよい）と、汗拭き具に設けられたファン取付け具（２０、２０’）とを有し、ファン取付け具は、汗拭き具の開口部の位置に設けられた（固定して設けられたとしてもよい）布材製で環状の取付け具本体で、内側の周状の端部の内側に開口部（２０Ｋ）を有する取付け具本体（２２）と、取付け具本体の内側の周状の端部に沿って設けられた伸縮性を有する環状部材（４０）とを有し、取付け具本体の内側の周状の端部をファンのハウジングに係止させることにより、ファンがファン取付け具に取り付けられる身体用納涼具の製造方法であって、取付け具本体製造工程と、取付け具本体製造工程で製造された取付け具本体を汗拭き具に固定する取付け具本体固定工程と、汗拭き具に固定された取付け具本体に環状部材を形成する環状部材形成工程とを有し、取付け具本体製造工程が、取付け具本体を形成するための布材で互いに平行な長手辺を有する布材（２６Ｓ）の長手方向における両側の端部同士を縫着して環状に形成する第１縫着工程と、第１縫着工程で環状に形成された布材を布材の長手辺と平行な折れ線（２７Ｃ）を介して折り返した状態にしてする折返し工程と、を有し、取付け具本体固定工程においては、取付け具本体製造工程により製造された取付け具本体における布材の折れ線側とは反対側の領域である（反対側の領域で外側の周状の辺部側の領域（外側の周状の辺部に沿った領域としてもよい）であるとしてもよい）外側領域を汗拭き具の開口部の縁部に沿った領域に縫着することにより、取付け具本体を汗拭き具に固定し、環状部材形成工程においては、布材における該折れ線に沿った布材の内側に環状部材を形成するための伸縮性を有する紐材を配置して、該紐材の両側の端部を連結することにより環状部材を形成することを特徴とする。
【００５５】
第１８の構成の身体用納涼具の製造方法により製造された身体用納涼具においては、取付け具本体の内側の周状の端部をファンのハウジングに係止させることにより、ファンをファン取付け具に取り付けて使用し、ファンを取り付けた状態の身体用納涼具においては、首に掛けて使用し、ファンを首の位置に配置することによりファンから首に送風する。
【００５６】
身体用納涼具は、首に掛けて使用できるので、衣服を着ているか否かに拘わらず使用することができ、作業服等の衣服を着ていなくても、身体用納涼具を首に掛けて装着することにより涼感を得ることができる。
【００５７】
また、使用者の首に送風することにより使用者に涼感を与えることができ、特に、首の背面側に送風することにより強い涼感を与えることができる。
【００５８】
また、ファンを取り付けた身体用納涼具は、ファンとタオルを有するものであることから、作業現場、スポーツ観戦、調理場、キャンプ場、ランニング等の運動時等、タオルを首に巻く場面で広く使用することができるので、使用する場面を多様なものとすることができる。
【００５９】
また、第１８の構成の製造工程により製造された身体用納涼具によれば、第１縫着工程と折返し工程からなる取付け具本体製造工程と取付け具本体固定工程と環状部材形成工程により製造できるので、少ない工程、かつ、低コストで身体用納涼具を製造することができる。
【００６０】
また、第１９には、上記第１８の構成において、折返し工程と取付け具本体固定工程の間に、第２縫着工程が設けられ、第２縫着工程においては、折り返した状態の布材を該折れ線の位置に沿って略周状（周状としてもよい）に縫着して縫い目（Ｈ２６）を形成し、環状部材形成工程においては、該縫い目から該折れ線側の空間に該縫い目に沿って紐材を挿入して、該紐材の両側の端部を結んで環状にすることを特徴とする。
【００６１】
よって、環状部材が取付け具本体内で移動せずに所定の位置に配置できるので、ファンのファン取付け具への取付けを容易に行なうことができる。
【００６２】
また、第２０には、上記第１６から第１９までのいずれかの構成において、折返し工程において、布材の短手辺の方向の略中間位置に該折れ線を設けて、布材を二つ折りに折り返し、取付け具本体固定工程において、布材における折れ線を介した一方の領域における外側領域（２８−１）と他方の領域（３０−１）における外側領域により汗拭き具を挟んで重ねた状態で一対の外側領域と汗拭き具とを固定することを特徴とする。
【００６３】
よって、２つの外側領域によりタオルを挟むことにより、タオルの開口部の縁部が２つの外側領域により隠れた状態となるので、タオルの開口部の縁部を開口部を形成する際に切りっぱなしの状態としてタオルを構成する糸がほつれる状態としても、かがり縫い等により補強する必要がない。また、２つの外側領域によりタオルを挟むので、１本の縫い目のみで２つの外側領域とタオルを固定することができる。
【００６４】
また、第２１には、上記第１６から第１９までのいずれかの構成において、折返し工程において、布材の短手辺の方向の略中間位置に該折れ線を設けて、布材を二つ折りに折り返し、取付け具本体固定工程において、布材における折れ線を介した一方の領域における外側領域（２８−１）と他方の領域（３０−１）の外側領域を重ねた状態の一対の外側領域を、汗拭き具の開口部の縁部に沿った領域の表裏いずれかの面に重ねた状態で一対の外側領域と汗拭き具とを固定することを特徴とする。
【００６５】
また、第２２には、上記第１６から第１９までのいずれかの構成において、折返し工程において、布材の短手辺の方向における一方の側に偏った位置に該折れ線を設けて、布材を折り返し、取付け具本体固定工程において、布材における折れ線を介した一方の領域と他方の領域において折れ線からの長手辺までの距離が長い側の領域における外側領域である特定外側領域（２８−１）を、汗拭き具の開口部の縁部に沿った領域の表裏いずれかの面に重ねた状態で該特定外側領域と汗拭き具とを固定することを特徴とする。
【００６６】
また、第２３には、上記第１６から第２２までのいずれかの構成において、紐材の両端の端部を結んで紐材を連結することにより紐材を環状にして環状部材を形成することを特徴とする。
【発明の効果】
【００６７】
本発明に基づく身体用納涼具及び身体用納涼具の製造方法により製造された身体用納涼具によれば、身体用納涼具は、首に掛けて使用できるので、衣服を着ているか否かに拘わらず使用することができ、作業服等の衣服を着ていなくても、身体用納涼具を首に掛けて装着することにより涼感を得ることができる。
【００６８】
また、使用者の首に送風することにより使用者に涼感を与えることができ、特に、首の背面側に送風することにより強い涼感を与えることができる。
【００６９】
また、身体用納涼具は、ファンとタオルを有するものであることから、作業現場、スポーツ観戦、調理場、キャンプ場、ランニング等の運動時等、タオルを首に巻く場面で広く使用することができるので、使用する場面を多様なものとすることができる。
【００７０】
また、本発明に基づく身体用納涼具の製造方法によれば、少ない工程、かつ、低コストで身体用納涼具を製造することができる。
【図面の簡単な説明】
【００７１】
【図１】身体用納涼具の平面図である。
【図２】身体用納涼具の底面図である。
【図３】身体用納涼具の正面図である。
【図４】身体用納涼具の側面図である。
【図５】身体用納涼具の要部拡大一部断面図である。
【図６】身体用納涼具本体の平面図である。
【図７】ファン取付け具の要部拡大断面図である。
【図８】ファン取付け具の製造工程を示す説明図である。
【図９】タオルの平面図である。
【図１０】ファンの正面図である。
【図１１】ファンの側面図である。
【図１２】ファンの側面側からの斜視図である。
【図１３】ファンの平面図である。
【図１４】ファンの底面図である。
【図１５】ファンの底面側からの斜視図である。
【図１６】ファンの分解正面図である。
【図１７】ファンの分解側面図である。
【図１８】他の例のファン取付け具の要部拡大断面図である。
【図１９】他の例のファン取付け具の製造工程を示す説明図である。
【図２０】身体用納涼具の使用状態を示す側面図である。
【図２１】身体用納涼具の使用状態を示す背面側からの斜視図である。
【図２２】他の例のファンの分解正面図である。
【図２３】他の例のファンの分解側面図である。
【図２４】他の例のファンの分解側面図である。
【図２５】他の例の身体用納涼具の平面図である。
【発明を実施するための形態】
【００７２】
本発明においては、衣服を着なくてもファンによる涼感を得ることができ、ファンによる冷却効果を十分得ることができ、さらには、使用する場面が多様なファン付きの冷却具を提供することを目的を以下のようにして実現した。
【００７３】
本発明に基づく身体用納涼具（首掛け用納涼具、身体用採涼具、首掛け用採涼具、身体用涼感具、首掛け用涼感具、ファン付きタオルとしてもよい）５は、図１〜図１９に示すように構成され、タオル１０と、タオル１０に固定されたファン取付け具２０と、ファン取付け具２０に着脱自在に取り付けられたファン５０とを有している（図１〜図４参照）。タオル１０とファン取付け具２０とで身体用納涼具本体（身体用納涼具用ユニットとしてもよい）７が構成される。
【００７４】
ここで、タオル（汗拭き具）１０は、シート状で吸水性を有する布製部材であり、通常のタオルに使用される素材（例えば、綿、ナイロン、シルク、麻、マイクロファイバー）によりシート状に形成され、長方形状の長辺側に凹部が形成された形状を呈している。また、タオル１０を構成する生地（タオル地）の種類としては、通常タオルとして用いられる生地であり、例えば、パイル地、シャーリング地、ガーゼ織地、ワッフル織地、無撚糸地等が挙げられる。つまり、タオル１０は、タオル地の手ぬぐい（タオル地の布で作られた手ぬぐいとしてもよい）である。
【００７５】
すなわち、タオル１０は、互いに相対する辺部１０ａ及び辺部１０ｂと互いに相対する辺部１０ｃ及び辺部１０ｄにより囲まれた形状を有し、辺部１０ａから辺部１０ｃ、辺部１０ｄが連設され、辺部１０ｃ、１０ｄの辺部１０ａと反対側の端部からは辺部１０ｂが連設されている。
【００７６】
辺部１０ａと辺部１０ｂは直線状を呈し、互いに平行に形成されていて、タオル１０における短辺部を構成している。
【００７７】
また、辺部１０ｃと辺部１０ｄは、タオル１０の長辺部を構成しており、辺部１０ｃは、辺部１０ａから連設され辺部１０ａに対して直角（略直角としてもよい）に形成された辺部１０ｃ−１と、辺部１０ｂから連設され辺部１０ｂに対して直角（略直角としてもよい）に形成された辺部１０ｃ−３と、辺部１０ｃ−１と辺部１０ｃ−３間に凹状に形成された辺部１０ｃ−２とを有し、辺部１０ｃ−２は、辺部１０ｃ−１から連設され、内側（辺部１０ｄ側）に傾斜して形成された辺部１０ｃ−２ａと、辺部１０ｃ−２ａの端部から連設され、辺部１０ａに対して直角（略直角としてもよい）の方向に形成された辺部１０ｃ−２ｂと、辺部１０ｃ−２ｂの端部から連設され、外側（辺部１０ｄ側とは反対側）に傾斜して辺部１０ｃ−３の端部にまで形成された辺部１０ｃ−２ｃとを有し、辺部１０ｃ−２ａと辺部１０ｃ−２ｃとは、内側に行くほど辺部１０ｃ−２ａと辺部１０ｃ−２ｃ間の長さが短くなるようにテーパ状に形成されている。辺部１０ｃ−１、辺部１０ｃ−２ａ、辺部１０ｃ−２ｂ、辺部１０ｃ−２ｃ、辺部１０ｃ−３は、ともに直線状に形成され、辺部１０ｃは、前後方向の中心線を介して左右線対称に形成されている。この辺部１０ｃ−２により辺部１０ｃ側に台形形状の切欠部Ｋ１０Ａが形成されている。
【００７８】
また、辺部１０ｄは、辺部１０ｃに対して左右方向の中心線を介して前後対称に形成され、辺部１０ｄは、辺部１０ａから連設され辺部１０ａに対して直角（略直角としてもよい）に形成された辺部１０ｄ−１と、辺部１０ｂから連設され辺部１０ｂに対して直角（略直角としてもよい）に形成された辺部１０ｄ−３と、辺部１０ｄ−１と辺部１０ｄ−３間に凹状に形成された辺部１０ｄ−２とを有し、辺部１０ｄ−２は、辺部１０ｄ−１から連設され、内側（辺部１０ｃ側）に傾斜して形成された辺部１０ｄ−２ａと、辺部１０ｄ−２ａの端部から連設され、辺部１０ａに対して直角（略直角としてもよい）の方向に形成された辺部１０ｄ−２ｂと、辺部１０ｄ−２ｂの端部から連設され、外側（辺部１０ｄ側とは反対側）に傾斜して辺部１０ｄ−３の端部にまで形成された辺部１０ｄ−２ｃとを有し、辺部１０ｄ−２ａと辺部１０ｄ−２ｃとは、内側に行くほど辺部１０ｄ−２ａと辺部１０ｄ−２ｃ間の長さが短くなるようにテーパ状に形成されている。辺部１０ｄ−１、辺部１０ｄ−２ａ、辺部１０ｄ−２ｂ、辺部１０ｄ−２ｃ、辺部１０ｄ−３は、ともに直線状に形成され、辺部１０ｄは、前後方向の中心線を介して左右線対称に形成されている。この辺部１０ｄ−２により辺部１０ｄ側に台形形状の切欠部Ｋ１０Ｂが形成されている。
【００７９】
切欠部Ｋ１０Ａと切欠部Ｋ１０Ｂは、タオル１０の長手辺に設けられ（つまり、ファン取付け具２０のタオル１０における短手方向（Ｙ１−Ｙ２方向）の一方の側と他方の側に設けられている）、すなわち、タオル１０の長手辺の方向におけるファン取付け具２０の形成位置に対応した位置に設けられている。
【００８０】
なお、タオル１０の辺部１０ａ、１０ｂ、１０ｃ、１０ｄに沿った端部は、生地を折り返した状態で縫製して補強したり、かがり縫いすることにより補強されている。
【００８１】
また、タオル１０には、円形の開口部Ｋ１０Ｃが設けられ（図９参照）、開口部Ｋ１０Ｃは、タオル１０の平面視における中央（略中央としてもよい）（つまり、辺部１０ｃ−２ｂと辺部１０ｄ−２ｂ間の位置）に設けられている。つまり、開口部Ｋ１０Ｃは、タオル１０の長手方向と短手方向の中心位置（略中心位置としてもよい）に設けられている。この開口部Ｋ１０Ｃの位置にファン取付け具２０が取り付けられる。
【００８２】
以上のようにして、タオル１０は、全体に長方形状に対して相対する長辺側に切欠部Ｋ１０Ａ、Ｋ１０Ｂが形成されるとともに、中央に開口部Ｋ１０Ｃが形成された形状を呈している。なお、切欠部Ｋ１０Ａ、Ｋ１０Ｂが設けられているのは、タオル１０を細く束ねた状態で身体用納涼具５を首に掛けた際に、タオル１０がファン５０の給気口や排気口を塞ぐおそれがないようにするためである。
【００８３】
なお、タオル１０の代わりに、木綿の平織りの布であるいわゆる手ぬぐいとしてもよい。つまり、タオル１０は、タオル地の手ぬぐいでなくても、布製でシート状の汗拭き具であればよい。
【００８４】
また、ファン取付け具２０は、図６に示すように、全体に円環状を呈して、内側の周状の端部の内側に開口部２０Ｋを有し、ファン取付け具２０は、タオル１０に固定された取付け具本体２２と、取付け具本体２２の内側（内周側）の端部に設けられた紐部４０とを有している。
【００８５】
ファン取付け具２０は、タオル１０における長手方向（Ｘ１−Ｘ２方向）と短手方向の略中央に設けられ、切欠部Ｋ１０Ａと切欠部Ｋ１０Ｂの間の位置に設けられている。
【００８６】
ここで、取付け具本体２２は、タオル１０に固定された状態では、円環状を呈し、取付け具本体２２の外側（外周側の端部）の端部領域がタオル１０の開口部Ｋ１０Ｃの縁部にに沿った領域に固定されている。
【００８７】
取付け具本体２２は、図８の製造方法に示すように、四角形状の布材２６Ｓにより形成されていて、図７に示すように、紐部収納部２４と、紐部収納部２４から連設された連結部２６とを有し、連結部２６が、タオル１０に固定されている。連結部２６がタオル１０に固定された状態では、取付け具本体２２は、扁平な円環状を呈している。
【００８８】
紐部収納部（環状部材収納部）２４は、図７に示すように、断面略環状の円環状（リング状）を呈し、内部に紐部が収納可能となっている。紐部収納部２４は、折り返された布材２６Ｓの折返し位置Ｍに設けられている。折返し位置Ｍは、図８に示す折れ線２７Ｃの位置に当たる。
【００８９】
連結部２６は、紐部収納部２４とタオル１０間を連結するものであり、連結部２６は、シート状の連結部構成部２８とシート状の連結部構成部３０とから構成され、連結部構成部２８と連結部構成部３０によりタオル１０の開口部Ｋ１０Ｃの縁部を挟んだ状態で縫製により連結部構成部２８、３０とタオル１０とが固定されている。連結部２６は、タオル１０に固定した状態では、扁平な円環状となっている。
【００９０】
連結部構成部２８は、紐部収納部２４を構成する布材の一方の端部から連設され、連結部構成部２８の外側の領域である外側領域（第１外側領域）２８−１は、タオル１０の上面に重なっている。また、連結部構成部３０は、紐部収納部２４を構成する布材の他方の端部から連設され、連結部構成部３０の外側の領域である外側領域（第２外側領域）３０−１は、タオル１０の下面に重なっている。また、連結部構成部２８と連結部構成部３０は、タオル１０に接する領域以外の領域では、互いに相対している。外側領域２８−１、３０−１は、具体的には、連結部構成部２８、３０の外側の端部領域であり、外側領域２８−１と外側領域３０−１とで外周側領域が構成される。つまり、外側領域２８−１は、布材２６Ｓの折返し位置Ｍを介した一方の領域（第１領域）（つまり、紐部収納部２４の上側半分と連結部構成部２８からなる領域）における折返し位置Ｍとは反対側の領域であり、外側領域３０−１は、布材２６Ｓの折返し位置Ｍを介した他方の領域（第２領域）（つまり、紐部収納部２４の下側半分と連結部構成部３０からなる領域）における折返し位置Ｍとは反対側の領域である。
【００９１】
なお、紐部収納部２４と連結部２６の境界位置においては、縫製糸により縫製することにより形成された縫い目（縫着部としてもよい）（第２縫い目）Ｈ２６が設けられ、重なり合った布材がこの縫い目Ｈ２６により固定された状態となっている。つまり、この縫い目Ｈ２６は、平面視において周状（略円形状としてもよい）に形成されている。
【００９２】
また、連結部２６とタオル１０とは、互いに重なった状態で固定されており、具体的には、連結部構成部２８と連結部構成部３０の外側領域２８−１、３０−１でタオル１０の開口部Ｋ１０Ｃ側の端部領域を挟んだ状態で縫製糸により形成された縫い目Ｈ３１により、連結部構成部２８とタオル１０と連結部構成部３０が固定されている。この縫い目Ｈ３１も、平面視において円形状（略円形状としてもよい）に形成されている。
【００９３】
また、紐部（環状部材）４０は、紐部収納部２４内に紐部収納部２４の収納空間に沿って設けられ、紐部４０は、環状（リング状、ループ状としてもよい）に形成されている。つまり、直線状の紐部の両端を結ぶことにより環状となっている。紐部４０は、伸縮性を有する弾性部材により形成され、具体的には、ゴム紐（具体的には、断面略円形の丸ゴムからなるゴム紐）により形成されている。つまり、紐部４０は、取付け具本体２２の内側の周状の端部に沿って設けられ、布材２６Ｓにおける布材２６Ｓの折返し位置Ｍと縫い目Ｈ２６の間の空間内に紐部４０が収納されている。なお、ファン取付け具２０の内側の端部がファン５０の筒状部５６の周面に固定されるように、紐部４０のリング状における直径は、紐部４０の自然状態において、筒状部５６の直径よりも小さく形成され、紐部４０の弾性により筒状部５６の周面に固定されるようになっている。また、紐部４０の断面（横断面）の直径（つまり、紐部４０の太さ）は、ファン５０のフランジ５８とフランジ６０間の間隔ＦＳよりも小さく形成されている。なお、紐部４０は、断面略円形の丸ゴムが好ましいが、断面略四角形状の平ゴムであってもよい。また、紐部４０は、両端を結んで輪状にしたものとしたが、これには限られず、例えば、伸縮性を有する紐部の両端の端部にそれぞれ連結具を固定し、連結具同士を連結することにより紐部を連結して、伸縮性を有する（つまり、紐部の部分が伸縮性を有する）環状部材としてもよく、また、伸縮性を有する紐部の一方の端部をループ状に折り返した状態でカシメ金具で固定したもののループ状部分に紐部の他の端部を挿通した状態でループ状としてカシメ金具で固定してループ状部分を連結した状態として紐部を連結することにより、伸縮性を有する（つまり、紐部の部分が伸縮性を有する）環状部材を構成してもよい。
【００９４】
この紐部４０と紐部収納部２４により締付け部４２が構成され、この締付け部４２の直径は、自然状態（つまり、紐部４０が最も縮んでいる状態）では筒状部５６の直径よりも小さく、一方、紐部４０を伸ばした際には、締付け部４２の直径は、フランジ５８、６０の直径よりも大きくなる。
【００９５】
以上のように、取付け具本体２２は、折り返された布材２６Ｓの折返し位置Ｍを開口部２０Ｋ側にして設けられ、布材２６Ｓの該折返し位置Ｍに沿った布材２６Ｓの内側に紐部４０が収納して設けられている。
【００９６】
ここで、ファン取付け具２０の製造方法について説明すると、図８に示すようになる。すなわち、連結部２６を構成する布材２６Ｓを用意する（図８（ａ））。この布材２６Ｓは、長方形状（具体的には、細長長方形状）の布材であり、その長手辺の長さＬ２６は、ファン取付け具２０へのファン５０の取付けを容易とするために、フランジ５８やフランジ６０の周面の長さ（外側の端部の周長）よりも十分長い長さとし、開口部Ｋ１０Ｃの縁部の周長に縫い代２６Ｔの幅Ｌ２６Ｔを加算した長さ（第１算出長さ）を少なくとも有し、該第１算出長さ以上の長さとするのが好ましい。また、布材２６Ｓの短手辺の長さＬ２７は、開口部Ｋ１０Ｃの直径の長さから筒状部５６の直径の長さを減算した長さに、タオル１０と重なる領域の幅Ｌ３０の２倍を加算した長さ（第２算出長さ）を少なくとも有し、締付け部４２の密着を容易とするために該第２算出長さよりも長くするのが好ましい（連結部構成部２８がタオル１０と重なる幅と連結部構成部３０がタオル１０と重なる幅（ファン取付け具２０の径方向における幅（内側と外側間の幅））は、いずれも幅Ｌ３０とする）。つまり、布材２６Ｓは、製造過程で二つ折りとし、二つ折りとした場合の短手辺の長さが、開口部Ｋ１０Ｃの直径の長さから筒状部５６の直径の長さを減算した値の１／２の長さに、タオル１０の重なる領域の幅Ｌ３０を加算した長さを少なくとも有することから、第２算出長さは上記のようになる。なお、厳密には、紐部収納部２４の部分は紐部４０が挿入されているため、平面状とはならないため、短手辺の長さＬ２７は、少なくとも第２算出長さよりも、紐部収納部２４が断面略環状となる分、長くする必要がある。なお、布材２６Ｓは、長方形状としたが、互いに平行な長手辺を有する形状であればよい。
【００９７】
なお、布材２６Ｓの素材は、縫い目を形成して紐部収納部２４を形成しやすく、また、タオル１０との縫製が容易な素材が好ましく、例えば、ポリエステル、ナイロン等が用いられる。
【００９８】
そして、布材２６Ｓを短手方向の折れ線２６Ｃを介して二つ折りに折り返した状態とし、折れ線２６Ｃと反対側の端部に沿って縫製糸で縫着して縫い目（縫着部としてもよい）Ｈ２５を形成する（図８（ｂ）、第１縫着工程）。つまり、布材２６Ｓの長手方向における両側の端部同士を縫着して環状に形成する。これにより、布材２６Ｓがリング状に形成される。
【００９９】
その後、布材２６Ｓにおける一対の周状の端部のうち一方の端部側の領域を外側に折り返して二つ折りの状態とする（図８（ｃ）、折返し工程）。つまり、図８（ｃ）の状態では、布材２６Ｓは、周状の折れ線２７Ｃ（長手辺と平行な折れ線）を介して二つ折りの状態となっている。つまり、二つ折りにした布材２６Ｓにおいて、外側の部分の幅と内側の部分の幅とは、長さＬ２８で同一（略同一としてもよい）となっている。該折れ線２７Ｃは、布材２６Ｓの短手辺の方向の中間位置（略中間位置としてもよい）にある。
【０１００】
その後、折れ線２７Ｃ付近の位置で該折れ線２７Ｃに沿って（つまり、折れ線２７Ｃと平行に）縫製糸で縫着して、縫い目Ｈ２６を形成する（図８（ｄ）、第２縫着工程）。つまり、折り返した状態の布材２６Ｓを折れ線２７Ｃの位置に沿って周状に縫着して縫い目Ｈ２６を形成する。縫い目Ｈ２６は、折れ線２７Ｃと平行（略平行としてもよい）に周状に形成され、折れ線２７Ｃと縫い目Ｈ２６間の長さＬ２９は、布材２６Ｓにおける折れ線２７Ｃと縫い目Ｈ２６間の領域により形成される紐部収納部２４に紐部４０を収納可能な長さとする。なお、縫い目Ｈ２６は、折れ線２７Ｃの付近でなくてもよいが、縫い目Ｈ２６から折れ線２７Ｃまでの長さが縫い目Ｈ２６から折れ線２７Ｃと反対側の辺部までの長さよりも短い位置とするのが好ましい。
【０１０１】
なお、縫い目Ｈ２６の形成に際しては、折れ線２７Ｃとは反対側の辺部２８Ｃ側から紐部４０を挿入可能なように、縫い目Ｈ２６を形成しない領域を設けて隙間Ｒ２６を形成し、この隙間Ｒ２６から紐部４０を挿入できるようにする。縫い目Ｈ２６には隙間Ｒ２６が設けられているので、縫い目Ｈ２６は、厳密には、略周状に形成されているといえる。
【０１０２】
その後、縫い目Ｈ２６と折れ線２７Ｃ間の領域に紐部４０を挿入して、紐部４０の両側の端部を結んで環状とする（環状部材形成工程）。つまり、縫い目Ｈ２６から折れ線２７Ｃ側の空間に縫い目Ｈ２６に沿って伸縮性を有する紐状部材（紐部４０において、両側の端部を結ぶ前の状態である紐状部材）を挿入する。なお、紐部４０の挿入は、上記のように隙間Ｒ２６が形成されているので、該隙間Ｒ２６から行なえばよい。
【０１０３】
紐部４０を挿入したら、辺部２８Ｃ側が外側となり、折れ線２７Ｃが内側となるように扁平状に広げることにより、紐部４０の弾性により折れ線２７Ｃ側の辺部が縮まって、図８（ｅ）に示すように、取付け具本体２２がリング状に形成される。以上のようにして、第１縫着工程から環状部材形成工程までの工程によりファン取付け具製造工程が行われる。
【０１０４】
以上のように作成されたファン取付け具２０においては、布材２６Ｓにおける縫い目Ｈ２６よりも内側の部分が紐部収納部２４となり、縫い目Ｈ２６よりも外側の部分が連結部２６となり、連結部２６における上側の部分が連結部構成部２８となり、連結部２６における下側の部分が連結部構成部３０となる。
【０１０５】
ファン取付け具２０をタオル１０に取り付けるには、連結部構成部２８と連結部構成部３０とでタオル１０の開口部Ｋ１０Ｃの縁部を挟んだ状態として、縫製糸により縫着して、該縫製糸からなる周状の縫い目Ｈ３１を形成して、取付け具本体２２をタオル１０に固定する（取付け具本体固定工程）。
【０１０６】
なお、上記のように、連結部構成部２８と連結部構成部３０によりタオル１０を挟むことにより、タオル１０の開口部Ｋ１０Ｃの縁部が連結部構成部２８と連結部構成部３０により隠れた状態となるので、タオル１０の開口部Ｋ１０Ｃの縁部を開口部Ｋ１０Ｃを形成する際に切りっぱなしの状態としてタオル１０を構成する糸がほつれる状態としても、かがり縫い等により補強する必要がない。また、連結部構成部２８と連結部構成部３０によりタオル１０を挟むので、１つの縫い目Ｈ３１のみで連結部構成部２８、３０とタオル１０を固定することができる。
【０１０７】
なお、連結部構成部２８と連結部構成部３０によりタオル１０を挟んだ状態で連結部２６をタオル１０に固定するとしたが、その方法には限られず、連結部構成部２８と連結部構成部３０を重ねた状態で、タオル１０の一方の面（つまり、上面又は下面）に重ねて連結部構成部２８、３０とタオル１０とを固定するようにしてもよい。つまり、連結部２６をタオル１０の一方の面に固定するのである。その場合には、縫い目としては、１つの周状の縫い目でもよいが、略同心円状の２つの周状の縫い目により連結部２６とタオル１０を固定するのが好ましい。また、タオル１０の開口部Ｋ１０Ｃを形成する際に、切りっぱなしの状態とするとほつれてしまうため、生地を折り返した状態で縫製して補強したり、かがり縫いすることにより補強するのが好ましい。
【０１０８】
また、ファン５０は、図１０〜図１７に示すように構成された送風装置であり、バッテリー９０（図２０参照）から電源コード８４を介して供給された電力により送風を行なうものである。
【０１０９】
すなわち、ファン５０は、ハウジング５２と、ハウジング５２内に設けられたモータ８０と、モータ８０の回転軸に取り付けられた羽根体８２とを有している。
【０１１０】
ここで、ハウジング５２は、全体に略円柱状を呈していて、ハウジング５２は、ハウジング本体５４と、ハウジング本体５４に着脱自在の蓋部７０を有している。ハウジング５２は、合成樹脂により形成されており、ハウジング本体５４が、合成樹脂により一体に形成されているとともに、蓋部７０が、合成樹脂により一体に形成されている。
【０１１１】
ハウジング本体５４は、円筒状の筒状部５６と、筒状部５６の外側面における軸線方向の一方の端部（下端）から外周方向に突出した円環状のフランジ（第１突状部）５８と、筒状部５６の外側面における軸線方向の他方の端部（上端）から外周方向に突出した円環状のフランジ（第２突状部）６０と、筒状部５６のフランジ５８側の端部に設けられた排気側カバー６２と、フランジ５８の外周から筒状部５６側とは反対側に連設された首当て部６４とを有している。つまり、フランジ５８、６０は、筒状部５６に固定して設けられ、筒状部５６の外周面よりも外側に突出しており、筒状部５６の軸線方向（筒状部５６の軸線Ｊ（図１０参照）の方向）におけるフランジ５８とフランジ６０の間の位置に筒状部５６の外周面が設けられている。フランジ５８とフランジ６０は、ともに円環状の板状を呈し、フランジ５８とフランジ６０は互いに平行に設けられ、フランジ５８とフランジ６０間には、間隔（隙間）ＦＳが設けられ（つまり、フランジ５８とフランジ６０は、筒状部５６の軸線方向に間隔を介して設けられている）、ファン取付け具２０にファン５０を取り付ける際には、該間隔ＦＳに取付け具本体２２の紐部４０側、つまり、締付け部４２が設けられる。フランジ５８とフランジ６０間の間隔ＦＳの幅Ｌ５０は、ファン取付け具２０における締付け部４２の厚み（紐部４０が入った状態の紐部収納部２４の厚み）Ｌ３１（図７参照）よりも長く形成されている。
【０１１２】
なお、フランジ６０の上面には、内側（内周側）に突出した爪部を有する係止部６０ａ〜６０ｄが設けられ、係止部６０ａ〜６０ｄは同様の構成であるので、係止部６０ａを例にとって説明すると、係止部６０ａは、フランジ６０の上面に対して鉛直方向（つまり、筒状部５６の軸線方向）に立設した爪支持部６０ａ−１と、爪支持部６０ａ−１の内側の面の上端から内側に突出した爪部６０ａ−２とを有している。係止部６０ａ〜６０ｄに設けられた爪部は、蓋部７０を閉状態にする際に、蓋部７０の周面に設けられた穴部７２Ｋに係止するものである。なお、係止部６０ａ〜６０ｄにおける円周方向に隣接する係止部は、９０度の角度を介して設けられている。
【０１１３】
また、排気側カバー６２は、筒状部５６の内側面における軸線方向の下端から内側に設けられ、複数の開口部６２Ｋが設けられた板状を呈している。すなわち、排気側カバー６２は、底面視において、中央に設けられた円形の中央部６２ａと、中央部６２ａの外側（外周側）に中央部６２ａと同心円状に形成された円環状部６２ｂと、筒状部５６から円環状部６２ｂを経て中央部６２ａまで形成された放射状部６２ｃとを有し、放射状部６２ｃは、筒状部５６の下端から円環状部６２ｂを経て中央部６２ａまで形成された直線帯状の帯状部が放射状に複数形成されている。排気側カバー６２が以上のように形成されていることにより、複数の開口部６２Ｋが形成され、この開口部６２Ｋから羽根体８２からの風が排出される。つまり、開口部６２Ｋは、筒状部５６の軸線方向におけるハウジング５２の一方の側に設けられている。なお、開口部６２Ｋの大きさは、人の指が入らない程度の大きさとするのが好ましい。
【０１１４】
また、排気側カバー６２の中央部６２ａの底面側には、モータ８０の駆動をオンオフするためのスイッチＳＷが設けられている。なお、該スイッチＳＷは、ハウジング５２の他の位置に設けてもよく、また、ハウジング５２以外の位置（例えば、電源コード８４の途中位置又はバッテリー９０の位置）に設けてもよい。
【０１１５】
また、首当て部６４は、筒状部５６のフランジ５８側の端部から突出した一対の首当て部構成部６６、６８を有し、首当て部構成部６６と首当て部構成部６８は、下方（Ｚ１側）（つまり、蓋部７０側とは反対側）に突出するとともに、筒状部５６の軸線方向に直角な方向における相対する方向（Ｘ１−Ｘ２方向）に突出しており、首当て部構成部６６は、Ｘ１方向（左側面側方向）にフランジ５８よりも突出し、首当て部構成部６８は、Ｘ２方向（右側面側方向）にフランジ５８よりも突出している。
【０１１６】
首当て部構成部６６、６８は、ともに曲面状の板状を呈し、首当て部構成部６６は、正面方向から左側面方向を経て背面方向まで形成され、首当て部構成部６８は、正面方向から右側面方向を経て背面方向まで形成されている。つまり、正面方向の角度を０度、左側面方向の角度を９０度、背面方向の角度を１８０度、右側面方向の角度を２７０度とした場合には、首当て部構成部６６は、０度の位置から９０度の位置を経て１８０度の位置まで形成され、首当て部構成部６８は、０度の位置から２７０度の位置を経て１８０度の位置まで形成されている。首当て部構成部６６、６８の上端は、筒状部５６の下端に沿って円弧状に形成されていて、首当て部構成部６６、６８の外側の面と内側の面は、円錐台形状（略円錐台形状としてもよい）の周面の一部を構成している。
【０１１７】
また、首当て部構成部６６は、左側面側の端部（９０度の位置の端部）が最も下方（Ｚ１側）に突出しており、右側面側にいくほど（つまり、０度の方向と１８０度の方向にいくほど）徐々に首当て部構成部６６の下端から筒状部５６の下端までの軸線方向の長さが短くなるように形成され、正面方向の位置（０度の位置）と背面方向の位置（９０度の位置）においては、首当て部構成部６６の下端は、筒状部５６の下端位置と一致していて（つまり、正面方向の位置（０度の位置）と背面方向の位置（９０度の位置）においては、首当て部構成部６６は形成されていない）、底面視においては、首当て部構成部６６の下端は、図１４に示すように、楕円弧状（略楕円弧としてもよい）となっている。
【０１１８】
また、首当て部構成部６８は、首当て部構成部６６と左右対称（前後方向の中心面を介して左右面対称）に形成され、首当て部構成部６８は、右側面側の端部（２７０度の位置の端部）が最も下方（Ｚ１側）に突出しており、左側面側にいくほど（つまり、０度の方向と１８０度の方向にいくほど）徐々に首当て部構成部６８の下端から筒状部５６の下端までの軸線方向の長さが短くなるように形成され、正面方向の位置（０度の位置）と背面方向の位置（９０度の位置）においては、首当て部構成部６８の下端は、筒状部５６の下端位置と一致していて（つまり、正面方向の位置（０度の位置）と背面方向の位置（９０度の位置）においては、首当て部構成部６８は形成されていない）、底面視においては、首当て部構成部６８の下端は、図１４に示すように、楕円弧状（略楕円弧としてもよい）となっていて、首当て部６４の下端は、底面視において、楕円形を呈している。
【０１１９】
首当て部６４は、以上のように形成されているので、正面視においては、図１０に示すように、首当て部６４の下側の辺部（つまり、９０度から０度を経て２７０度までの辺部）６４ａ（図１４参照）が略円弧状に窪んだ形状をしており、背面視においても、首当て部６４の下側の辺部（つまり、９０度から１８０度を経て２７０度までの辺部）６４ｂ（図１４参照）が略円弧状に窪んだ形状をしていて、ファン５０を首の後側の側面に配置した際に、これらの略円弧状に窪んだ辺部６４ａ、６４ｂが、首の後側の側面に接することになり、首当て部６４が首にフィットしやすい。つまり、辺部６４ａの水平方向に対する傾斜角度については、図１４の９０度の位置における傾斜角度０度から徐々に大きくなり、４５度の位置で傾斜角度が最大となって、その後、徐々に傾斜角度が小さくなり、図１４の０度の位置で傾斜角度０度となり、その後、徐々に傾斜角度が徐々に大きくなり、３１５度の位置で傾斜角度が最大となって、その後、徐々に傾斜角度が小さくなり、２７０度の位置で傾斜角度０度となっており、辺部６４ｂの水平方向に対する傾斜角度についても、図１４の９０度の位置における傾斜角度０度から徐々に大きくなり、１３５度の位置で傾斜角度が最大となって、その後、徐々に傾斜角度が小さくなり、１８０度の位置で傾斜角度０度となり、その後、徐々に傾斜角度が徐々に大きくなり、２２５度の位置で傾斜角度が最大となって、その後、徐々に傾斜角度が小さくなり、２７０度の位置で傾斜角度０度となっている。つまり、辺部６４ａ、６４ｂを平面上に展開すると、サインカーブを呈する。すなわち、円錐台形状の周面に対して、略円弧状の切欠部（具体的には、サインカーブ状の切欠部）を設けることにより、首当て部６４の正面側と背面側が窪んだ形状となっている。なお、首当て部６４は、左右対称に形成されているとともに、前後対称（左右方向の中心面を介して左右面対称）にも形成されている。
【０１２０】
首当て部６４は、身体用納涼具５を装着する際に使用者の首に接触させるものであり、首当て部構成部６６と首当て部構成部６８の下方（Ｚ１側）の端部が首に接触される。
【０１２１】
なお、首当て部６４の下端は、底面視において、楕円形であるとしたが、他の形状であってもよく、例えば、略楕円形や円形（略円形としてもよい）であってもよく、その場合においても、正面視と背面視において、略円弧状に窪んだ形状とするのが好ましい。
【０１２２】
以上のように、首当て部６４は、ファン５０の排気側である下方に突出するとともに、筒状部５６の軸線方向に直角な方向における相対する方向（つまり、図１４における９０度の方向と２７０度の方向）に突出する曲面状の板状を呈し、首当て部６４の下端が、排気側から見て楕円形（略楕円形又は略円形としてもよい）を呈し、筒状部５６の軸線方向に直角な方向で該相対する方向と直角方向である正面側と背面側から見て、首当て部６４の下端が上方に窪んだ形状（つまり、略円弧状に窪んだ形状）となっている。
【０１２３】
また、蓋部７０は、円筒状の筒状部７２と、筒状部７２の上端に設けられた吸気側カバー７４とを有している。
【０１２４】
筒状部７２には、外周側の側面に係止部６０ａ〜６０ｄの爪部が係止するための計４つの穴部７２Ｋが設けられている。つまり、穴部７２Ｋにおける円周方向に隣接する穴部は、９０度の角度を介して設けられている。
【０１２５】
また、吸気側カバー７４は、排気側カバー６２と同様の形状を呈している。すなわち、吸気側カバー７４は、筒状部７２の内側面における軸線方向の上端から内側に設けられ、複数の開口部７４Ｋが設けられた板状を呈し、吸気側カバー７４は、平面視において、中央に設けられた円形の中央部７４ａと、中央部７４ａの外側（外周側）に中央部７４ａと同心円状に形成された円環状部７４ｂと、筒状部７２から円環状部７４ｂを経て中央部７４ａまで形成された放射状部７４ｃとを有し、放射状部７４ｃは、筒状部７２の上端から円環状部７４ｂを経て中央部７４ａまで形成された直線帯状の帯状部が放射状に複数形成されている。吸気側カバー７４が以上のように形成されていることにより、複数の開口部７４Ｋが形成され、この開口部７４Ｋから空気が吸引される。つまり、開口部７４Ｋは、筒状部５６の軸線方向におけるハウジング５２の他方の側に設けられている。なお、開口部７４Ｋの大きさは、人の指が入らない程度の大きさとするのが好ましい。
【０１２６】
また、モータ８０は、ハウジング５２内に固定して設けられ、具体的には、排気側カバー６２の中央部６２ａの内側に設けられている。また、モータ８０には、電源コード８４が接続されていて、電源コード８４は、バッテリー９０に接続されている。モータ８０に接続された電源コード８４は、排気側カバー６２の開口部６２Ｋから導かれ、首当て部構成部６８に設けられた穴部を通って、首当て部構成部６８の外部に導かれている。なお、電源コード８４の取付け状態は、これには限られず、例えば、蓋部７０の筒状部７２から外部に導出してもよい。モータ８０の回転軸の軸線の方向は、筒状部５６の軸線方向に形成されている。つまり、モータ８０の回転軸の軸線は、筒状部５６の軸線に沿って設けられている。
【０１２７】
なお、バッテリー９０は、使用者の腰のベルトに取り付けられている。なお、バッテリー９０の取付け位置は、使用者の腰の位置には限られず、例えば、衣服のポケット（例えば、上着のポケットやズボンのポケット）内に収納してもよいし、腰に着脱するポシェットに収納してもよい。
【０１２８】
また、羽根体８２は、モータ８０の回転軸に取り付けられ、ハウジング５２内における排気側カバー６２と吸気側カバー７４の間の空間に設けられている。羽根体８２は、モータ８０の回転軸に取り付けられているので、羽根体８２の回転中心の軸線は、筒状部５６の軸線方向に設けられている（つまり、筒状部５６の軸線に沿って設けられている）。
【０１２９】
蓋部７０をハウジング本体５４から取り外した状態は、図１６、図１７に示すようになり、ファン５０の製造に際して、ハウジング本体５４にモータ８０及び羽根体８２を取り付けて、蓋部７０をハウジング本体５４に対して閉じることにより、ファン５０が構成される。なお、蓋部７０をハウジング本体５４に対して閉じた状態では、係止部６０ａ〜６０ｄの爪部が、蓋部７０の穴部７２Ｋに係止されている。
【０１３０】
ファン５０をファン取付け具２０に取り付けた状態では、ファン５０のフランジ５８とフランジ６０間の間隔ＦＳに締付け部４２が取り付けられた状態となる。紐部４０の自然状態の直径は、筒状部５６の直径よりも小さいので、締付け部４２は、筒状部５６の外側面に密着した状態となっていて、また、フランジ５８とフランジ６０間の間隔ＦＳの幅Ｌ５０は、締付け部４２の厚みＬ３１よりも大きいので、フランジ５８とフランジ６０の少なくとも一方と締付け部４２の間には、隙間が形成される。つまり、筒状部５６における軸線方向の中央位置に締付け部４２が設けられる場合には、締付け部４２とフランジ５８間に隙間Ｓ１が設けられるとともに、締付け部４２とフランジ６０間に隙間Ｓ２が設けられ（図５参照）、締付け部４２がフランジ５８、６０のいずれかの側に偏って設けられた場合には、締付け部４２がフランジ５８、６０の一方で接して、締付け部４２とフランジ５８、６０の他方との間に隙間が設けられる場合があるが、締付け部４２がフランジ５８とフランジ６０の両方に接することはない。
【０１３１】
なお、紐部収納部２４が上下方向に膨らんで、紐部収納部２４がフランジ５８とフランジ６０の両方に接することはあり得るが、紐部４０の直径が２つのフランジ５８、６０間の間隔ＦＳよりも小さいので、紐部４０が布材（つまり、布材２６Ｓにおける紐部収納部２４の領域）を介してフランジ５８とフランジ６０のいずれかに密着することはあるものの、紐部４０を布材を介してフランジ５８とフランジ６０の両方に密着することはない。なお、紐部４０の周状の範囲において、一部が布材を介してフランジ５８に密着し、他の一部が布材を介してフランジ６０に密着することは考えられる。
【０１３２】
ファン５０をファン取付け具２０に取り付けるには、紐部４０を伸ばしてファン取付け具２０の開口部２０Ｋの径を大きくした状態（つまり、締付け部４２の開口を大きくした状態）で、締付け部４２を筒状部５６の周面側に位置させ、開口部２０Ｋの径を大きくした状態を解除することにより、締付け部４２が筒状部５６の外側に密着した状態となって、ファン５０がファン取付け具２０に取り付けられる。
【０１３３】
なお、上記の説明において、タオル１０とファン取付け具２０は、図６〜図８に示す構成であるとして説明したが、これには限られず、以下のような構成であってもよい。
【０１３４】
すなわち、ファン取付け具２０’は、図１８に示すように、全体に円環状を呈し、ファン取付け具２０’は、タオル１０に固定された取付け具本体２２と、取付け具本体２２の内側（内周側）の端部に設けられた紐部４０とを有している。ファン取付け具２０’においては、ファン取付け具２０とは取付け具本体２２における連結部２６の構成が異なる。
【０１３５】
ここで、取付け具本体２２は、タオル１０に固定された状態では、円環状を呈し、取付け具本体２２の外側（つまり、外周側）の領域である外側領域（つまり、連結部構成部２８の外側領域２８−１）がタオル１０の開口部Ｋ１０Ｃの縁部に固定されている。外側領域２８−１は、具体的には、連結部構成部２８の外側の端部領域である。この外側領域２８−１が、タオル１０に固定される外周側領域を構成する。
【０１３６】
取付け具本体２２は、図１９の製造方法に示すように、長方形状（具体的には、細長長方形状）の布材により形成されていて、図１８に示すように、紐部収納部２４と、紐部収納部２４から連設された連結部２６とを有し、連結部２６が、タオル１０に固定されている。連結部２６がタオル１０に固定された状態では、取付け具本体２２は、扁平な円環状を呈している。
【０１３７】
紐部収納部２４は、ファン取付け具２０の場合と同様に、断面略環状の環状（リング状）を呈し、内部に紐部が収納可能となっている。
【０１３８】
連結部２６は、紐部収納部２４とタオル１０間を連結するものであり、連結部２６は、シート状の連結部構成部２８とシート状の帯状の連結部構成部３０とから構成され、連結部構成部２８と連結部構成部３０とでは、径方向に連結部構成部３０が連結部構成部２８よりも短く形成され、連結部構成部２８のみがタオル１０に縫製により固定され、連結部構成部３０はタオル１０に固定されていない。連結部２６は、タオル１０に固定した状態では、扁平な円環状となっている。
【０１３９】
連結部構成部２８は、紐部収納部２４を構成する布材の一方の端部から連設され、連結部構成部２８の外側領域２８−１は、タオル１０の上面に重なっている。また、連結部構成部３０は、紐部収納部２４を構成する布材の他方の端部から連設され、連結部構成部３０の外側の端部領域は、縫い目Ｈ２６の若干外側にあり、連結部構成部３０は、縫い目Ｈ２６の縫い代として機能しているのみであり、連結部構成部３０は連結部構成部２８に重なっている。つまり、連結部構成部２８の紐部収納部２４側である内側の端部から紐部収納部２４側とは反対側である外側の端部までの長さＬ３２−１が、連結部構成部３０の紐部収納部２４側である内側の端部から紐部収納部２４側とは反対側である外側の端部までの長さＬ３２−２よりも長く形成されており、第２領域（布材２６Ｓにおいて、折返し位置Ｍを介した連結部構成部３０側の領域）は、第１領域（布材２６Ｓにおいて、折返し位置Ｍを介した連結部構成部２８側の領域）に重なった状態で、縫い目Ｈ２６により第１領域と第２領域が固定されている。
【０１４０】
なお、紐部収納部２４と連結部２６の境界位置においては、縫製糸により縫製することにより形成された縫い目（縫着部としてもよい）Ｈ２６が設けられ、重なり合った布材がこの縫い目Ｈ２６により固定された状態となっている。つまり、この縫い目Ｈ２６は、平面視において周状（略円形状としてもよい）に形成されている。
【０１４１】
また、連結部構成部２８とタオル１０とは、互いに重なった状態で固定されており、具体的には、連結部構成部２８の外側領域がタオル１０の開口部Ｋ１０Ｃ側の端部領域に重なった状態で縫製糸により形成された縫い目Ｈ３１、Ｈ３２により、連結部構成部２８とタオル１０とが固定されている。この縫い目Ｈ３１、Ｈ３２は、平面視において周状（略円形状としてもよい）に形成され、縫い目Ｈ３１と縫い目Ｈ３２は、略同心円状に形成されている。なお、２つの縫い目Ｈ３１、Ｈ３２ではなく、１つの周状の縫い目のみで連結部構成部２８とタオル１０を固定してもよいが、２つの周状の縫い目により固定するのが好ましい。
【０１４２】
また、紐部４０は、ファン取付け具２０における紐部４０と同様の構成であり、紐部収納部２４内に紐部収納部２４の収納空間に沿って設けられ、紐部４０は、リング状に形成されている。ファン取付け具２０’における紐部４０は、ファン取付け具２０における紐部４０と同様の構成であるので、詳しい説明を省略する。
【０１４３】
この紐部４０と紐部収納部２４により締付け部４２が構成され、この締付け部４２の直径は、自然状態（つまり、紐部４０が最も縮んでいる状態）では筒状部５６の直径よりも小さく、一方、紐部４０を伸ばした際には、締付け部４２の直径は、フランジ５８、６０の直径よりも大きくなる。また、ファン取付け具２０’においても、断面の直径（つまり、紐部４０の太さ）は、２つのフランジ５８、６０間の間隔ＦＳよりも小さく形成されている。
【０１４４】
ここで、ファン取付け具２０’の製造方法について説明すると、図１９に示すようになる。すなわち、連結部２６を構成する布材２６Ｓを用意する（図１９（ａ））。この布材２６Ｓは、長方形状（具体的には、細長長方形状）の布材であり、その長手辺の長さＬ２６は、ファン取付け具２０の場合と同様に、ファン取付け具２０’へのファン５０の取付けを容易とするために、フランジ５８やフランジ６０の周面の長さ（外側の端部の周長）よりも十分長い長さとし、開口部Ｋ１０Ｃの縁部の周長に縫い代２６Ｔの幅Ｌ２６Ｔを加算した長さ（第１算出長さ）を少なくとも有し、該第１算出長さ以上の長さとするのが好ましい。また、布材２６Ｓの短手辺の長さＬ２７は、開口部Ｋ１０Ｃの直径の長さから筒状部５６の直径の長さを減算した値の１／２の長さに、タオル１０の重なる領域の幅Ｌ３０と紐部収納部２４の内側の端部から連結部構成部３０の外側の端部までの長さを加算した長さ（第２算出長さ）を少なくとも有し、締付け部４２の密着を容易とするために該第２算出長さよりも長くするのが好ましい。なお、厳密には、紐部収納部２４の部分は紐部４０が挿入されているため、平面状とはならないため、短手辺の長さＬ２７は、少なくとも該第２算出長さよりも、紐部収納部２４が断面略環状となる分、長くする必要がある。なお、布材２６Ｓは、長方形状としたが、互いに平行な長手辺を有する形状であればよい。
【０１４５】
なお、布材２６Ｓの素材は、縫い目を形成して紐部収納部２４を形成するのに支障のない素材であり、例えば、ポリエステル、ナイロン等が用いられる。
【０１４６】
そして、布材２６Ｓを短手方向の折れ線２６Ｃを介して二つ折りに折り返した状態とし、折れ線２６Ｃと反対側の端部に沿って縫製糸で縫着して縫い目（縫着部としてもよい）Ｈ２５を形成する（図１９（ｂ）、第１縫着工程）。つまり、布材２６Ｓの長手方向における両側の端部同士を縫着して環状に形成する。これにより、布材２６Ｓがリング状に形成される。
【０１４７】
その後、布材２６Ｓにおける一対の周状の端部のうち一方の端部側の領域を外側に短く折り返した状態とする（図１９（ｃ）、折返し工程）。つまり、図１９（ｃ）の状態では、布材２６Ｓは、周状の折れ線２７Ｃを介して折り返した状態となっていて、外側の部分の幅Ｌ２８−１は、内側の部分の幅Ｌ２８−２よりも短く形成されており、例えば、幅Ｌ２８−１の長さは、幅Ｌ２８−２の長さの半分より短く形成されている。つまり、該折れ線２７Ｃは、布材２６Ｓの短手辺の方向における一方の側に偏った位置にある。
【０１４８】
その後、折れ線２７Ｃ付近の位置で該折れ線２７Ｃに沿って（つまり、折れ線２７Ｃと平行に）縫製糸で縫着して、縫い目Ｈ２６を形成する（図１９（ｄ）、第２縫着工程）。つまり、折り返した状態の布材２６Ｓを折れ線２７Ｃの位置に沿って周状に縫着して縫い目Ｈ２６を形成する。縫い目Ｈ２６は、折れ線２７Ｃと平行（略平行としてもよい）に周状に形成され、折れ線２７Ｃと縫い目Ｈ２６間の長さＬ２９は、布材２６Ｓにおける折れ線２７Ｃと縫い目Ｈ２６間の領域により形成される紐部収納部２４に紐部４０を収納可能な長さとする。なお、縫い目Ｈ２６から折れ線２７Ｃまでの長さを縫い目Ｈ２６から折れ線２７Ｃと反対側の辺部までの長さよりも短くするのが好ましい。
【０１４９】
なお、縫い目Ｈ２６の形成に際しては、布材２６Ｓの外側の部分の折れ線２７Ｃとは反対側の辺部２８Ｃから紐部４０を挿入可能なように、縫い目Ｈ２６を形成しない領域を設けて隙間Ｒ２６を形成し、この隙間から紐部４０を挿入できるようにする。縫い目Ｈ２６には隙間Ｒ２６が設けられているので、縫い目Ｈ２６は、厳密には、略周状に形成されているといえる。
【０１５０】
その後、縫い目Ｈ２６と折れ線２７Ｃ間の領域に紐部４０を挿入して、紐部４０の両側の端部を結んで環状とする（環状部材形成工程）。つまり、縫い目Ｈ２６から折れ線２７Ｃ側の空間に縫い目Ｈ２６に沿って伸縮性を有する紐状部材（紐部４０において、両側の端部を結ぶ前の状態である紐状部材）を挿入する。なお、紐部４０の挿入は、上記のように隙間Ｒ２６が形成されているので、該隙間Ｒ２６から行なえばよい。
【０１５１】
紐部４０を挿入したら、布材２６Ｓの内側の部分における折れ線２７Ｃと反対側の辺部２９Ｃ側が外側となり、折れ線２７Ｃが内側となるように扁平状に広げることにより、紐部４０の弾性により折れ線２７Ｃ側の辺部が縮まって、図１９（ｅ）に示すように、取付け具本体２２がリング状に形成される。以上のようにして、第１縫着工程から環状部材形成工程までの工程によりファン取付け具製造工程が行われる。
【０１５２】
以上のように作成されたファン取付け具２０’においては、布材２６Ｓにおける縫い目Ｈ２６よりも内側の部分が紐部収納部２４となり、縫い目Ｈ２６よりも外側の部分が連結部２６となり、連結部２６における上側の部分が連結部構成部２８となり、連結部２６における下側の部分（幅の短い部分）が連結部構成部３０となる。
【０１５３】
ファン取付け具２０’をタオル１０に取り付けるには、連結部構成部２８をタオル１０の開口部Ｋ１０Ｃの縁部に重ねた状態として、縫製糸により縫着して、該縫製糸からなる縫い目Ｈ３１、Ｈ３２を同心円状（略同心円状としてもよい）に形成して、ファン取付け具２０’をタオル１０に固定する（ファン取付け具固定工程）。つまり、布材２６Ｓにおける折れ線２７Ｃを介した一方の領域（つまり、連結部構成部２８側の領域）と他方の領域（つまり、連結部構成部３０側の領域）において折れ線２７Ｃからの長手辺までの距離が長い側の領域（連結部構成部２８側の領域）における外側領域（特定外側領域）２８−１を、タオル１０の開口部Ｋ１０Ｃの縁部に沿った領域の表裏いずれかの面に重ねた状態で外側領域２８−１とタオル１０とを固定する。
【０１５４】
このように、長さＬ３２−２を長さＬ３２−１よりも短くして、連結部構成部２８のみをタオル１０に固定することにより、図７のように連結部構成部２８と連結部構成部３０の両方をタオル１０に固定する場合に比べて、布材２６Ｓの面積を少なくすることができ、コストを削減することができる。
【０１５５】
なお、図１８においては、連結部構成部２８をタオル１０の上面に固定しているが、連結部構成部２８をタオル１０の下面に固定してもよい。つまり、タオル１０の開口部Ｋ１０Ｃの縁部に沿った領域の表裏いずれかの面に重ねたものであればよい。また、連結部構成部２８の長さ（つまり、長さＬ３２−１）を連結部構成部３０の長さ（つまり、長さＬ３２−２）よりも長くしたが、連結部構成部３０の長さを連結部構成部２８の長さよりも長くして、連結部構成部３０をタオル１０に固定してもよい。
【０１５６】
上記構成の身体用納涼具５を使用状態について説明すると、図２０、図２１に示すように、通常のタオルを首に掛ける要領で首に掛けて使用し、具体的には、首当て部６４を使用者の首に接触させて、ファン５０を首の背面側に位置させ、タオル１０を首の両側（つまり、両肩）から前側に垂らした状態にして身体に装着する。なお、モータ８０をオン動作させるためのスイッチＳＷがハウジングに設けられている場合には、上記のように身体用納涼具５を身体に取り付けるに際しては、予めスイッチＳＷをオン操作して、羽根体８２が回転した状態としておく。なお、該スイッチが電源コード８４の途中位置やバッテリー９０に設けられている場合には、上記のように身体用納涼具５を装着した後に、スイッチをオン操作すればよい。
【０１５７】
なお、身体用納涼具５には、ファン５０が設けられていて、ファン５０の重さにより後方に落下するのを防止するために、タオル１０の前側に垂らした部分（つまり、一対の端側）を衣服の襟に挿入するか、あるいは、タオル１０の一対の端側を結ぶようにするのが好ましい。
【０１５８】
スイッチＳＷがオン操作されると、モータ８０が駆動して羽根体８２が回転するので、排気側カバー６２に向けて送風され、首の背面側に風を当てることができ、使用者に涼感を与えることができる。すなわち、首の背面側には神経が集中しているので、使用者に強い涼感を与えることができる。ファン５０の位置は、首の背面側でなくてもよく、例えば、首の斜め後方としてもよいが、首の背面側に配置することにより、強い涼感を与えることができる。
【０１５９】
なお、身体用納涼具５を首に掛けて装着する場合には、タオル１０を細く束ねた状態となるが、タオル１０には切欠部Ｋ１０Ａ、Ｋ１０Ｂが設けられているので、タオル１０が吸気側カバー７４や排気側カバー６２を塞いでしまうことがない。
【０１６０】
身体用納涼具５を使用する状況としては、さまざまなケースが考えられ、作業現場、スポーツ観戦、調理場、キャンプ場、ランニング等の運動時等、高温環境のさまざまな場所が挙げられる。特に、身体用納涼具５は、首に掛けて使用するので、タオルを首に巻く場面で広く使用することができる。
【０１６１】
身体用納涼具５は、首に掛けて使用できるので、衣服を着ているか否かに拘わらず使用することができ、作業服等の衣服を着ていなくても、身体用納涼具５を首に掛けて装着することにより涼感を得ることができる。
【０１６２】
また、本実施例の身体用納涼具５によれば、首、特に、首の背面側に風を当てることができるので、使用者に涼感を強く与えることができる。
【０１６３】
また、身体用納涼具５は、ファン５０とタオル１０を有するものであることから、作業現場、スポーツ観戦、調理場、キャンプ場、ランニング等の運動時等、タオルを首に巻く場面で広く使用することができるので、使用する場面を多様なものとすることができる。
【０１６４】
また、身体用納涼具５には、タオル１０が設けられているので、このタオル１０で汗を吸うことができ、また、タオル１０の端側で汗を拭うことができる。
【０１６５】
なお、タオル１０が汚れた場合には、ファン５０をファン取付け具２０（２０’）から取り外して、ファン取付け具２０（２０’）が固定された状態のタオル１０を洗濯すればよい。特に、ファン取付け具２０（２０’）は、布材により形成された取付け具本体２２と紐部４０により構成されていて、タオル１０に縫い糸により固定されているので、ファン取付け具２０（２０’）が固定された状態でタオル１０を洗濯することができる。
【０１６６】
また、身体用納涼具５を所定期間使用してタオル１０が破損したり、紐部４０の伸縮性が劣化した場合には、タオル１０とファン取付け具２０とからなる身体用納涼具本体７ごと取り替えればよい。
【０１６７】
また、ファン５０は、ファン取付け具２０（２０’）により着脱自在となっていて、ファン５０のファン取付け具２０（２０’）への取付けに際しては、ファン取付け具２０（２０’）の紐部４０を伸ばしてファン取付け具２０（２０’）の内側の開口部２０Ｋを広げた状態でファン５０の筒状部５６の周囲に位置させて、開口部２０Ｋを広げた状態を解除することによりワンタッチで取り付けることができる。
【０１６８】
また、ファン取付け具２０（２０’）が設けられ、このファン取付け具に紐部収納部２４が設けられているので、取付け具本体２２の素材として、紐部収納部２４を製造するのに支障のない素材を用いることにより、紐部収納部２４を容易に形成することができる。つまり、タオル１０の素材においては、吸水性を持たせるためにパイル地等のように通常凹凸があるため、タオル１０の生地のみにより紐部収納部２４を形成するのは困難であるが、タオル１０とは別体のファン取付け具２０（２０’）を設けて、取付け具本体２２の素材を紐部収納部２４を製造するのに支障のない素材とすることにより、紐部収納部２４の製造が容易であり、また、ファン取付け具２０（２０’）のタオル１０への固定は、連結部２６とタオル１０とを重ねた状態で縫着することにより行えばよいので、該固定を容易に行なうことができる。
【０１６９】
また、ファン取付け具２０（２０’）は、上記の製造工程（つまり、図８や図１９に示す製造工程）により製造でき、第１縫着工程と折返し工程と第２縫着工程と環状部材形成工程により製造することができるので、少ない工程、かつ、低コストでファン取付け具２０（２０’）を製造することができ、また、製造されたファン取付け具をタオルに縫着して固定することにより身体用納涼具本体７が製造され、第１縫着工程と折返し工程と第２縫着工程と環状部材形成工程からなるファン取付け具製造工程と取付け具本体固定工程により製造できるので、少ない工程、かつ、低コストで身体用納涼具本体７を製造することができる。
【０１７０】
なお、上記の説明において、ファン５０は、図１０〜図１７に示す構成であるとしたが、図２２に示すように、フランジ６０と係止部６０ａが蓋部７０に設けられる構成としてもよい。
【０１７１】
すなわち、図２２に示すファン５０Ａにおいては、フランジ６０は筒状部５６から連設されるのではなく、蓋部７０の筒状部７２から連設され、係止部６０ａは、筒状部７２の内側の周面から下方に突出して形成され、係止部６０ａは、筒状部７２の内側の周面から下方に形成された爪支持部６０ａ−１と、爪支持部６０ａ−１の外側の面の上端から外側に突出した爪部６０ａ−２とを有している。係止部６０ａ〜６０ｄにおける円周方向に隣接する係止部は、９０度の角度を介して設けられている。さらに、筒状部５６には、内周側の側面に係止部６０ａ〜６０ｄの爪部が係止するための計４つの穴部５６Ｋが設けられている。
【０１７２】
なお、図１０〜図１７に示すファン５０と比較すると、筒状部７２の軸線方向の長さについては、フランジ６０の厚みの分だけファン５０Ａにおける筒状部７２の長さが長く、また、筒状部５６の軸線方向の長さについては、フランジ６０の厚みの分だけファン５０Ａにおける筒状部５６の長さが短く形成されている。
【０１７３】
図２２に示すファン５０Ａの構成は、上記以外はファン５０と同様の構成であるので、詳しい説明を省略する。
【０１７４】
また、図１０〜図１７に示すファン５０や図２２に示すファン５０Ａにおいては、フランジ５８とフランジ６０が設けられているとしたが、これには限られず、筒状部５６の外周面から外側に突出する突部が周方向に沿って複数設けられる構成であってもよい。
【０１７５】
すなわち、図２３に示すファン５０Ｂのように、筒状部５６からは、フランジ６０の代わりに４箇所に突部６０’が外周側に突出して設けられている。突部６０’は、略直方体形状を呈し、円周方向に隣接する突部６０’は、９０度の角度を介して設けられている。つまり、突部６０’は、円周方向に均等の間隔に設けられている。
【０１７６】
このような突部６０’であっても、ファン取付け具２０（２０’）が蓋部７０側に移動した場合でも、突部６０’によりファン取付け具２０（２０’）の移動が妨げられるので、ファン５０Ｂがファン取付け具２０（２０’）から脱落することがない。
【０１７７】
また、図２４に示すファン５０Ｃのように、フランジ６０の代わりに突部６０’を設けるとともに、フランジ５８の代わりに突部５８’を設けてもよい。つまり、筒状部５６からは、フランジ６０の代わりに４箇所に突部６０’が外周側に突出して設けられているとともに、フランジ５８の代わりに４箇所に突部５８’が外周側に突出して設けられている。突部５８’、６０’は、略直方体形状を呈し、円周方向に隣接する突部５８’と突部６０’は、９０度の角度を介して設けられている。つまり、突部５８’、６０’は、円周方向に均等の間隔に設けられている。
【０１７８】
また、図２２に示すファン５０Ａにおいて、フランジ５８の代わりに突部５８’としてもよく、また、フランジ６０の代わりに突部６０’としてもよい。
【０１７９】
なお、ファン５０Ｂ、５０Ｃにおいて、突部５８’、６０’の数をそれぞれ４つとしたが、これには限られず、例えば、３つ以上であればよい。また、突部５８’、６０’は、円周方向に均等の間隔に設けられるとしたが、これには限られず、周方向に隣接する突部が周方向に間隔を介して設けられていればよいが、少なくとも略均等の間隔に設けるのが好ましい。
【０１８０】
このような突部５８’、６０’であっても、ファン取付け具２０（２０’）の移動を妨げることができるので、ファン５０Ｃがファン取付け具２０（２０’）から脱落することがない。ただし、図２３、図２４のような突部６０’（５８’）とするよりは、フランジ５８、６０とした方が、フランジ５８、６０は環状を呈するので、ファン取付け具２０（２０’）への取付けが容易であり、ファン５０の脱落のおそれもより小さく、ファン５０を十分保持することができるといえる。
【０１８１】
また、上記の説明では、ファンのハウジング５２におけるハウジング本体５４側の開口部６２Ｋから排気されるとしたが、蓋部７０がハウジング本体５４に固定されていて（つまり、筒状部５６と筒状部７２が一体に形成されている）、排気側カバー６２が蓋部として筒状部５６に着脱する構成として、蓋部としての排気側カバー６２の開口部６２Ｋから排気する構成としてもよい。
【０１８２】
なお、上記の説明においては、タオル１０には１つの開口部Ｋ１０Ｃが設けられ、該開口部Ｋ１０Ｃの位置にファン取付け具２０（２０’）とファン５０（５０Ａ〜５０Ｃ）が設けられるとしたが、図２５に示す身体用納涼具５’のように、２つのファン５０を取り付けるようにしてもよい。
【０１８３】
２つのファン５０における各ファン５０の取付け方法は、上記と同様であり、タオル１０には、図９に示す開口部Ｋ１０Ｃのような構成の開口部が２つ設けられ、各開口部には、ファン取付け具２０が設けられ、ファン取付け具２０にファン５０が着脱自在となっている。
【０１８４】
図２５の身体用納涼具５’におけるファン取付け具２０の構成は、図１〜図８に示すファン取付け具２０と同様の構成であり、ファン５０は、図１〜図５、図１０〜図１７に示すファン５０と同様の構成であるので、詳しい説明を省略する。
【０１８５】
タオル１０における開口部の形成位置は、長手方向に間隔を介した状態で長手方向に略均等の位置であり、短手方向には、いずれの開口部も略中間位置に設けられている。なお、タオル１０における一対の開口部の長手方向の位置は、身体用納涼具５’を首に掛けて装着した際に、首の左右両側ないしは斜め後方の左右両側の位置にファン５０が位置するような位置に設けるのが好ましい。
【０１８６】
このように、身体用納涼具５’により首の左右両側に送風することにより、首の両側には静脈が通っているので、使用者に涼感を与えることができる。
【０１８７】
なお、身体用納涼具５’においても、ファン取付け具２０の代わりにファン取付け具２０’を用いてもよく、また、ファン５０の代わりにファン５０Ａ〜５０Ｃを用いてもよい。
【０１８８】
また、上記の説明においては、取付け具本体固定工程において、ファン取付け具２０（すなわち、紐部４０が取り付けられた状態の取付け具本体２２）をタオル１０に固定するとしたが、紐部４０が取り付けられていない取付け具本体２２をタオル１０に固定し、その後に、紐部４０を設けるものとしてもよい。つまり、第１縫着工程と折返し工程と第２縫着工程からなる取付け具本体製造工程と、取付け具本体製造工程で製造された取付け具本体２２をタオル１０に固定する取付け具本体固定工程と、タオル１０に固定された取付け具本体２２に紐部４０を形成する環状部材形成工程により身体用納涼具本体７を製造してもよい。ただし、紐部４０が取り付けられた取付け具本体２２をタオル１０に固定する際には、紐部４０によりファン取付け具２０の形状が形成された状態としておいた方が、タオル１０への固定が容易であるといえる。
【０１８９】
また、上記の説明においては、取付け具本体２２に縫い目Ｈ２６が設けられているとしたが、縫い目Ｈ２６の構成を省略してもよい。すなわち、身体用納涼具の製造方法においては、第２縫着工程を省略してもよい。縫い目Ｈ２６を省略した場合でも、紐部４０は、その伸縮性により布材２６Ｓの折返し位置に位置するので、縫い目Ｈ２６は必須でなくてもよい。ただし、縫い目Ｈ２６により紐部収納部２４を設けて、紐部収納部２４内に紐部４０を収納しておくことにより、紐部４０を折れ線２７Ｃに沿った位置（つまり、布材２６Ｓの折返し位置）に配置して移動することがないので、ファン５０のファン取付け具２０への取付けを容易に行なうことができる。つまり、縫い目Ｈ２６が設けられていないと、縫い目Ｈ２６がないと紐部４０が取付け具本体２２の中で自由に移動できてしまうので、図７において紐部４０の位置を介した布材２６Ｓの２つの領域（上側の領域と下側の領域）の幅に差が生じてしまい、紐部４０の径が十分に小さくならずにファン５０にしっかりと固着することができないおそれがあるが、縫い目Ｈ２６により紐部４０の位置を固定しておくことにより、そのようなおそれを防止することができる。
【０１９０】
また、上記の説明においては、筒状部５６と筒状部７２は、円筒状であるとしたが、円筒状以外の筒状であってもよく、例えば、四角筒状（例えば、正方形状の筒状）であってもよい。すなわち、筒状部５６、７２は、筒状であればよい。なお、筒状部５６と筒状部７２が円筒状でない場合でも、筒状部５６の筒状の形状と、筒状部７２の筒状の形状は同一であり、筒状部５６が四角筒状とした場合には、筒状部７２も四角筒状となる。
【０１９１】
また、フランジ５８、６０は、円環状の板状であるとしたが、筒状部５６、７２が円筒状以外の筒状の場合には、該筒状の形状に応じた環状の板状となる。例えば、筒状部５６、７２が四角筒状の場合には、フランジ５８、６０は、四角形状の環状の板状を呈することになる（例えば、筒状部５６、７２が正方形状の筒状の場合には、フランジ５８、６０は、正方形状の環状の板状となる）。なお、フランジ５８が円環状でない場合でも、首当て部６４が首にフィットしやすくするために、首当て部６４の下端は、底面視において、略楕円形又は略円形とするのが好ましい。
【０１９２】
また、筒状部５６、７２が円筒状でない筒状の場合で、ファン５０Ｂ、５０Ｃのように、フランジの代わりに突部を設ける場合には、該突部は、筒状部５６、７２の周方向に間隔を介して設けるが、突部を均等（略均等としてもよい）の間隔を介して設けるのが好ましく、例えば、筒状部５６が正方形の筒状の場合には、筒状部の４つの角部に突部を設けてもよいし、筒状部を構成する４つの面における横方向の中央位置に突部を設けるようにしてもよい。
【０１９３】
また、上記の説明においては、タオル１０とファン取付け具２０とファン５０とで、身体用納涼具５が構成されるものとしたが、ファン５０の構成を省略したものを身体用納涼具としてもよい。すなわち、タオル１０とファン取付け具２０とで構成される身体用納涼具本体７を身体用納涼具としてもよい。
【０１９４】
また、身体用納涼具５は、首に掛けて使用するとして説明したが、首以外の身体の箇所に使用してもよく、例えば、腰に巻き付けて腰の背面側（背中側）に向けて送風するようにしてもよい。
【０１９５】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【０１９６】
５  身体用納涼具
５’  身体用納涼具
７  身体用納涼具本体
１０  タオル
２０  ファン取付け具
２０’  ファン取付け具
２０Ｋ  開口部
２２  取付け具本体
２４  紐部収納部
２６  連結部
２６Ｓ  布材
２８  連結部構成部
２８−１  外側領域
３０  連結部構成部
３０−１  外側領域
４０  紐部
４２  締付け部
５０  ファン
５０Ａ  ファン
５０Ｂ  ファン
５０Ｃ  ファン
５２  ハウジング
５４  ハウジング本体
５６  筒状部
５６Ｋ  穴部
５８  フランジ
６０  フランジ
６２  排気側カバー
６２Ｋ  開口部
６４  首当て部
６６  首当て部構成部
６８  首当て部構成部
７０  蓋部
７２  筒状部
７２Ｋ  穴部
７４  吸気側カバー
７４Ｋ  開口部
８０  モータ
８２  羽根体
８４  電源コード
９０  バッテリー
Ｋ１０Ａ  切欠部
Ｋ１０Ｂ  切欠部
Ｋ１０Ｃ  開口部
Ｈ２５  縫い目
Ｈ２６  縫い目
Ｈ３１  縫い目
Ｈ３２  縫い目
Ｍ  折返し位置
【図１】
2020097811.tif 000003
【図２】
2020097811.tif 000004
【図３】
2020097811.tif 000005
【図４】
2020097811.tif 000006
【図５】
2020097811.tif 000007
【図６】
2020097811.tif 000008
【図７】
2020097811.tif 000009
【図８】
2020097811.tif 000010
【図９】
2020097811.tif 000011
【図１０】
2020097811.tif 000012
【図１１】
2020097811.tif 000013
【図１２】
2020097811.tif 000014
【図１３】
2020097811.tif 000015
【図１４】
2020097811.tif 000016
【図１５】
2020097811.tif 000017
【図１６】
2020097811.tif 000018
【図１７】
2020097811.tif 000019
【図１８】
2020097811.tif 000020
【図１９】
2020097811.tif 000021
【図２０】
2020097811.tif 000022
【図２１】
2020097811.tif 000023
【図２２】
2020097811.tif 000024
【図２３】
2020097811.tif 000025
【図２４】
2020097811.tif 000026
【図２５】
2020097811.tif 000027